(57)【要約】      （修正有）【課題】複数のノズルおよびベンチュリを含む翼形部を提供する。【解決手段】翼形部は、高圧流体チャンバを画定する内壁３４４と、内壁３４４を通って延在する複数の高圧ノズル３３０とを含み、各高圧ノズル３３０は、高圧流体チャンバと流体連通してもよく、翼形部本体はまた、内壁３４４と隣接し内壁３４４を取り囲むように配置されて、中間壁３１８、３４６と内壁３４４との間に形成された低圧流体チャンバ３２４を画定する中間壁３１８、３４６と、中間壁３１８、３４６を通って延在する複数の低圧ベンチュリ３３２とを含む。各低圧ベンチュリ３３２は、低圧流体チャンバ３２４と流体連通してもよく、さらに、翼形部本体は、中間壁３１８、３４６に隣接し中間壁３１８、３４６を取り囲むように配置されて、中間壁３１８、３４６と外壁３２０との間に形成された冷却チャネルを画定する外壁３２０を含んでもよい。【選択図】図１７
2020097931.tif 000002
【特許請求の範囲】
【請求項１】
翼形部（４２）であって、
高圧流体チャンバ（１０４）を画定する内壁（３４４）と、
前記内壁（３４４）を通って延在する複数の高圧ノズル（３３０）と、ここで、前記複数の高圧ノズル（３３０）のそれぞれは前記高圧流体チャンバ（１０４）と流体連通しており、
前記内壁（３４４）に隣接し前記内壁（３４４）を取り囲むように配置されて、中間壁（３１８、３４６）と前記内壁（３４４）との間に形成された低圧流体チャンバ（３２４）を画定する中間壁（３１８、３４６）と、
前記中間壁（３１８、３４６）を通って延在する複数の低圧ベンチュリ（３３２）と、ここで、前記複数の低圧ベンチュリ（３３２）のそれぞれは前記低圧流体チャンバ（３２４）と流体連通しており、
前記中間壁（３１８、３４６）に隣接し前記中間壁（３１８、３４６）を取り囲むように配置されて、前記中間壁（３１８、３４６）と外壁（３２０）との間に形成された冷却チャネル（１４２、２４２）を画定する外壁（３２０）と、
を含む本体（１１０）
を備える翼形部（４２）。
【請求項２】
前記複数の高圧ノズル（３３０）のそれぞれが、前記低圧流体チャンバ（３２４）と流体連通して、前記高圧流体チャンバ（１０４）から前記低圧流体チャンバ（３２４）に高圧流体を提供する、請求項１に記載の翼形部（４２）。
【請求項３】
前記複数の低圧ベンチュリ（３３２）のそれぞれが、前記冷却チャネル（１４２、２４２）と流体連通して、前記低圧流体チャンバ（３２４）から前記冷却チャネル（１４２、２４２）に低圧流体を提供する、請求項１に記載の翼形部（４２）。
【請求項４】
前記内壁（３４４）を通って延在する前記複数の高圧ノズル（３３０）が、前記中間壁（３１８、３４６）を通って延在する前記複数の低圧ベンチュリ（３３２）と流体連通して、前記高圧流体チャンバ（１０４）から前記複数の低圧ベンチュリ（３３２）に高圧流体を提供する、請求項１に記載の翼形部（４２）。
【請求項５】
前記複数の高圧ノズル（３３０）のそれぞれが、前記複数の低圧ベンチュリ（３３２）の対応する低圧ベンチュリ（３３２）と整列している、請求項１に記載の翼形部（４２）。
【請求項６】
前記外壁（３２０）を通って延在する少なくとも１つの冷却孔（３４０、３５４）をさらに備え、前記少なくとも１つの冷却孔（３４０、３５４）が、前記冷却チャネル（１４２、２４２）と流体連通する、請求項１に記載の翼形部（４２）。
【請求項７】
前記内壁（３４４）または前記中間壁（３１８、３４６）のうちの少なくとも１つが、前記外壁（３２０）と一体に形成される、請求項１に記載の翼形部（４２）。
【請求項８】
請求項１に記載の翼形部（４２）であって、
前記高圧流体チャンバ（１０４）内に配置された支持体（３６２）をさらに備え、前記支持体（３６２）が、
前記高圧流体チャンバ（１０４）を通って半径方向に延在する第１のセグメント（３６４）と、
前記第１のセグメント（３６４）と前記内壁（３４４）との間に延在し、それらに接触する少なくとも１つの第２のセグメント（３６６）と、
を含む翼形部（４２）。
【請求項９】
請求項８に記載の翼形部（４２）であって、
前記内壁（３４４）と中間壁（３１８、３４６）との間に延在し、それらに接触する第１の複数の支持ピン（３６８）、または
前記中間壁（３１８、３４６）と外壁（３２０）との間に延在し、それらに接触する第２の複数の支持ピン（３７０）
のうちの少なくとも１つをさらに備える翼形部（４２）。
【請求項１０】
請求項１に記載の翼形部（４２）であって、
前記内壁（３４４）と前記中間壁（３１８、３４６）との間に延在し、それらに接触する第１の複数の支持ピン（３６８）、または
前記中間壁（３１８、３４６）と前記外壁（３２０）との間に延在し、それらに接触する第２の複数の支持ピン（３７０）
のうちの少なくとも１つをさらに備える翼形部（４２）。
【請求項１１】
前記内壁（３４４）、前記中間壁（３１８、３４６）および前記複数の支持ピン（３６８）が、単一の構成要素として形成される、請求項１０に記載の翼形部（４２）。
【請求項１２】
請求項１に記載の翼形部（４２）であって、
前記内壁（３４４）を通って延在する前記複数の高圧ノズル（３３０）のそれぞれが第１の寸法を有し、
前記中間壁（３１８、３４６）を通って延在する前記複数の低圧ベンチュリ（３３２）のそれぞれが、前記第１の寸法よりも大きい第２の寸法を有する翼形部（４２）。
【請求項１３】
前記複数の低圧ベンチュリ（３３２）のそれぞれが、
複数のディフューザ（１５２、３３６）をさらに含み、前記複数のディフューザ（１５２、３３６）のそれぞれが、冷却チャネル（１４２、２４２）に隣接する、前記複数の低圧ベンチュリ（３３２）の対応する低圧ベンチュリ（３３２）と一体に形成される、請求項１２に記載の翼形部（４２）。
【請求項１４】
前記複数のディフューザ（１５２、３３６）のそれぞれが、前記複数の低圧ベンチュリ（３３２）の第２の寸法よりも大きい第３の寸法を含む、請求項１３に記載の翼形部（４２）。
【請求項１５】
前記複数の高圧ノズル（３３０）のそれぞれの区画（３３４）が、対応する低圧ベンチュリ（３３２）内に延在する、請求項１に記載の翼形部（４２）。
【発明の詳細な説明】
【技術分野】
【０００１】
本開示は、一般に、タービンシステム用の高温ガス経路構成要素に関し、さらに具体的には、その中に形成された複数のノズルおよびベンチュリを含む翼形部として形成された高温ガス経路構成要素に関する。
【背景技術】
【０００２】
ガスタービンシステムなどの従来のターボ機械は、発電機のための動力を生成する。一般に、ガスタービンシステムは、ガスタービンシステムのタービン構成要素に流体（例えば、高温ガス）を通すことによって動力を生成する。さらに具体的には、吸入空気が圧縮機に引き込まれて圧縮され得る。圧縮されると、吸入空気は燃料と混合されて燃焼生成物を形成し、ガスタービンシステムの燃焼器が燃焼生成物を反応させて、ガスタービンシステムの動作流体（例えば、高温ガス）を形成し得る。次いで、流体は、流体流路を流れて、タービン構成要素の複数の回転ブレードおよびロータまたはシャフトを回転させて、動力を生成し得る。流体は、複数の回転ブレードと、回転ブレードの間に配置された複数の静止ノズルまたはベーンとを介して、タービン構成要素を通して導かれ得る。複数の回転ブレードがガスタービンシステムのロータを回転させると、ロータに結合された発電機が、ロータの回転から動力を生成し得る。
【０００３】
動作中、タービンブレードおよびベーン、さらに具体的にはそれぞれの翼形部は、タービン構成要素の流路を通って流れる高温の動作流体に曝され得る。時間が経つにつれて、および／または曝露中に、タービンブレードおよびベーンの翼形部は、望ましくない熱膨張および／または動作摩耗を受ける可能性がある。翼形部の熱膨張は、タービンのブレード／ベーンの損傷および／または停止を引き起こし得る。翼形部が損傷したり、停止事象が発生した場合、タービン構成要素、ひいてはタービンシステム全体の動作効率が低下する可能性がある。さらに、翼形部が損傷したり、停止事象が発生した場合、損傷したタービンブレードおよび／またはベーンを交換するためにタービン構成要素を停止する必要があり、その結果、ブレード／ベーンを交換する際にタービンシステムによって動力が生成されなくなる可能性がある。
【０００４】
熱膨張および劣化を最小限に抑えるために、典型的には翼形部が冷却される。例えば、従来の翼形部は、典型的には、内部冷却通路の複雑な迷路を含む。例えば、ガスタービンシステムの圧縮機によってもたらされる冷却空気（または、他の好適な冷却剤）が、冷却通路を通過し、冷却通路を出て、ブレードおよびベーン用の翼形部の様々な部分を冷却してもよい。これらの従来の翼形部の１つ以上の冷却通路によって形成された冷却回路は、例えば、内部壁近傍冷却回路、内部中央冷却回路、先端冷却回路、ならびに翼形部の前縁および後縁に隣接する冷却回路を含んでもよい。
【０００５】
典型的には、従来のシステムでは、高圧の冷却空気のみが翼形部に供給され、冷却のために翼形部によって利用され得る。その結果、従来のガスタービン静止構成要素を通って流れる実質的に全部または大部分の冷却空気が、高圧源から供給されなければならず、高圧源はさらに大量の圧縮機ポンプ仕事を受けることになる。圧力が低すぎると、普通なら構成要素を冷却するために利用することができ得る低圧源からの冷却空気を使用することができない。これにより、ひいては、ガスタービンシステムの動作効率が低下する可能性があり、および／またはガスタービンシステム内に組み込まれる補助的な高圧空気生成システムが必要になる可能性がある。補助的な高圧空気生成システムを使用してシステムに追加の高圧空気を供給すると、ガスタービンシステムに望ましくない構築、設置、保守および／または運用費用が追加される。
【発明の概要】
【０００６】
本開示の第１の態様は、翼形部であって、高圧流体チャンバを画定する内壁と、内壁を通って延在する複数の高圧ノズルと、ここで、複数の高圧ノズルのそれぞれは高圧流体チャンバと流体連通しており、内壁に隣接し内壁を取り囲むように配置されて、中間壁と内壁との間に形成された低圧流体チャンバを画定する中間壁と、中間壁を通って延在する複数の低圧ベンチュリと、ここで、複数の低圧ベンチュリのそれぞれは低圧流体チャンバと流体連通しており、中間壁に隣接し中間壁を取り囲むように配置されて、中間壁と外壁との間に形成された冷却チャネルを画定する外壁とを含む本体を含む翼形部を提供する。
【０００７】
本開示の第２の態様は、翼形部であって、第１の高圧流体チャンバを画定する第１の内壁と、第１の内壁を通って延在する第１の複数の高圧ノズルであって、第１の複数の高圧ノズルのそれぞれが第１の高圧流体チャンバと流体連通している第１の複数の高圧ノズルと、第１の内壁に隣接し第１の内壁を取り囲むように配置されて、第１の中間壁と第１の内壁との間の第１の低圧流体チャンバを画定する第１の中間壁と、第１の中間壁を通って延在する第１の複数の低圧ベンチュリであって、第１の複数の低圧ベンチュリのそれぞれが第１の低圧流体チャンバと流体連通している第１の複数の低圧ベンチュリと、第２の高圧流体チャンバを取り囲み画定する第２の内壁であって、第１の内壁に隣接して配置された第２の内壁と、第２の内壁を通って延在する第２の複数の高圧ノズルであって、第２の複数の高圧ノズルのそれぞれが第２の高圧流体チャンバと流体連通している第２の複数の高圧ノズルと、第２の内壁に隣接し第２の内壁を取り囲むように配置されて、第２の中間壁と第２の内壁との間に形成された第２の低圧流体チャンバを画定する第２の中間壁と、第２の中間壁を通って延在する第２の複数の低圧ベンチュリであって、第２の複数の低圧ベンチュリのそれぞれが第２の低圧流体チャンバと流体連通している第２の複数の低圧ベンチュリと、第１の中間壁に隣接し第１の中間壁を取り囲むように配置されて、第１の中間壁と外壁との間に形成された第１の冷却チャネルを画定する外壁と、第２の中間壁と外壁との間に形成された第２の冷却チャネルを画定する第２の中間壁と、第１の冷却チャネルと第２の冷却チャネルとの間に延在し、それらを分離する仕切壁であって、外壁によって取り囲まれた仕切壁とを含む本体を含む翼形部を提供する。
【０００８】
本開示の例示的な態様は、本明細書に記載される課題および／または検討されていない他の課題を解決するように構成される。
【０００９】
本開示のこれらおよび他の特徴は、本開示の様々な実施形態を示す添付の図面と併せて、本開示の様々な態様に関する以下の詳細な説明から、さらに容易に理解されるであろう。
【図面の簡単な説明】
【００１０】
【図１】本開示の実施形態による、ガスタービンシステムの概略図である。
【図２】本開示の実施形態による、タービンブレード、ステータベーン、ロータ、ケーシング、高温ガス経路構成要素および支持体を含む、図１のガスタービンシステムのタービンの一部の側面図である。
【図３】本開示の実施形態による、図２のガスタービンシステムの一部の拡大側面図である。
【図４】本開示の実施形態による、図２および図３の高温ガス経路構成要素の等角図である。
【図５】本開示の実施形態による、図４の線ＣＳ−ＣＳに沿った高温ガス経路構成要素の断面側面図である。
【図６】本開示の実施形態による、図５の高温ガス経路構成要素の拡大断面側面図である。
【図７】本開示の追加の実施形態による、図２のガスタービンシステムの一部の拡大側面図である。
【図８】本開示の実施形態による、図７に示される高温ガス経路構成要素の断面側面図である。
【図９】本開示のさらなる実施形態による、図２のガスタービンシステムの一部の拡大側面図である。
【図１０】本開示の追加の実施形態による、図１のガスタービンシステムの一部の拡大側面図である。
【図１１】本開示の実施形態による、図１０の高温ガス経路構成要素の断面側面図である。
【図１２】本開示の別の実施形態による、図１のガスタービンシステムの一部の拡大側面図である。
【図１３】本開示の実施形態による、図１２の高温ガス経路構成要素の断面側面図である。
【図１４】本開示の追加の実施形態による、２つのタービンブレード、高温ガス経路構成要素を含むステータベーン、ロータ、ケーシングおよび支持体を含む、図１のガスタービンシステムのタービンの一部の側面図である。
【図１５】本開示の追加の実施形態による、図１０のガスタービンシステムの一部の拡大側面図である。
【図１６】本開示の実施形態による、タービンブレード、ステータベーン、ロータ、ケーシング、高温ガス経路構成要素および支持体を含む、図１のガスタービンシステムのタービンの一部の側面図である。
【図１７】本開示の実施形態による、線ＣＳ−ＣＳに沿った、図１６に示すタービンブレードまたはステータベーンの翼形部の上面断面図である。
【図１８】本開示の実施形態による、図１７の翼形部の拡大断面側面図である。
【図１９】本開示の追加の実施形態による、線ＣＳ−ＣＳに沿った、図１６に示すタービンブレードまたはステータベーンの翼形部の上面断面図である。
【図２０】本開示のさらなる実施形態による、線ＣＳ−ＣＳに沿った、図１６に示すタービンブレードまたはステータベーンの翼形部の上面断面図である。
【図２１】本開示の別の実施形態による、線ＣＳ−ＣＳに沿った、図１６に示すタービンブレードまたはステータベーンの翼形部の上面断面図である。
【図２２】本開示の実施形態による高温ガス経路構成要素を表すコードを記憶する非一時的コンピュータ可読記憶媒体を含む付加製造プロセスのブロック図である。
【発明を実施するための形態】
【００１１】
本開示の図面は縮尺通りではないことに留意されたい。図面は、本開示の典型的な態様のみを示すことを目的としているため、本開示の範囲を限定するものとみなすべきではない。図面では、図面間で類似する符号は、類似する要素を表す。
【００１２】
最初の問題として、本開示を明確に説明するために、本開示の範囲内の関連する機械構成要素を参照して説明する際に、特定の専門用語を選択することが必要になる。これを行う場合、可能な限り、一般的な工業専門用語が、その受け入れられた意味と同じ意味で使用および利用される。別途記載のない限り、このような専門用語を、本出願の文脈および添付の特許請求の範囲と矛盾しない程度に広義に解釈すべきである。当業者であれば、多くの場合、特定の構成要素がいくつかの異なるまたは重複する用語を使用して参照され得ることを理解するであろう。単一の部品であるとして本明細書に記載され得るものは、複数の構成要素からなるものとして別の文脈を含み、かつ別の文脈で参照されてもよい。あるいは、複数の構成要素を含むものとして本明細書に記載され得るものを、単一の部品として他の場所で参照してもよい。
【００１３】
また、本明細書ではいくつかの記述上の用語を繰り返し使用する場合があり、本項の始めでこれらの用語を定義することが有用であるはずである。これらの用語およびその定義は、別途記載のない限り、以下の通りである。本明細書で使用する場合、「下流」および「上流」とは、タービンエンジンを通る作動流体、または例えば、燃焼器を通る空気の流れ、もしくはタービンの構成要素システムの１つを通る冷却剤などの流体の流れに対する方向を示す用語である。用語「下流」は、流体の流れの方向に相当し、用語「上流」は、流れの反対の方向を指す。用語「前方」および「後方」は、別途指定のない限り、方向を指し、「前方」はエンジンの前方または圧縮機端部を指し、「後方」はエンジンの後方またはタービン端部を指す。さらに、用語「先導する」および「後続する」は、それぞれ、用語「前方」および「後方」と同様の記述で使用され、および／または理解され得る。多くの場合、異なる半径方向、軸方向および／または円周方向の位置にある部分を記述することが要求される。「Ａ」軸は、軸方向を表す。本明細書で使用する場合、用語「軸方向の」および／または「軸方向に」は、タービンシステム（特に、ロータ区画）の回転軸と実質的に平行な軸Ａに沿った物体の相対的な位置／方向を指す。さらに本明細書で使用する場合、用語「半径方向の」および／または「半径方向に」は、軸Ａと実質的に垂直でありかつただ１つの場所において軸Ａと交差する方向「Ｒ」（図１を参照）に沿った物体の相対的な位置／方向を指す。最後に、用語「円周方向の」は、軸Ａの周りの移動または位置を指す（例えば、方向「Ｃ」）。
【００１４】
上述のように、本開示は、タービンシステム用の高温ガス経路構成要素を提供し、さらに具体的には、その中に形成された複数のノズルおよびベンチュリを含む翼形部として形成された高温ガス経路構成要素を提供する。
【００１５】
これらおよび他の実施形態は、図１〜図２２を参照して以下に説明される。しかし、当業者であれば、これらの図に関して本明細書に与えられた詳細な説明は例示のためのものであり、限定するものとして解釈すべきではないことを容易に理解するであろう。
【００１６】
図１は、例示的なガスタービンシステム１０の概略図を示す。ガスタービンシステム１０は、圧縮機１２を含んでもよい。圧縮機１２は、流入する空気１８の流れを圧縮する。圧縮機１２は、圧縮空気２０の流れを燃焼器２２に送達する。燃焼器２２は、圧縮空気２０の流れを加圧された燃料２４の流れと混合し、この混合物に点火して燃焼ガス２６の流れを生成する。単一の燃焼器２２のみが示されているが、ガスタービンシステム１０は、任意の数の燃焼器２２を含んでもよい。次いで、燃焼ガス２６の流れは、典型的には翼形部（図２を参照）およびステータベーン（図２を参照）を含む複数のタービンブレードを含むタービン２８に送達される。燃焼ガス２６の流れは、タービン２８、さらに具体的にはタービン２８の複数のタービンブレードを駆動し、機械的仕事を発生させる。タービン２８で発生された機械的仕事は、タービン２８を通って延在するロータ３０を介して圧縮機１２を駆動し、発電機などの外部負荷３２を駆動するために使用されてもよい。
【００１７】
ガスタービンシステム１０はまた、排気フレーム３４を含んでもよい。図１に示すように、排気フレーム３４は、ガスタービンシステム１０のタービン２８に隣接して配置されてもよい。さらに具体的には、排気フレーム３４は、タービン２８に隣接して配置されてもよく、タービン２８の実質的に下流および／または燃焼器２２からタービン２８に流れる燃焼ガス２６の流れの実質的に下流に配置されてもよい。本明細書で説明するように、排気フレーム３４の一部（例えば、外側ケーシング）は、タービン２８のエンクロージャ、シェルまたはケーシング３６に直接結合されてもよい。
【００１８】
燃焼ガス２６が流れてタービン２８を駆動した後、燃焼ガス２６は、排気フレーム３４を通って流れ方向（Ｄ）に排気、流入および／または排出され得る。図１に示す非限定的な例では、燃焼ガス２６は、排気フレーム３４を通って流れ方向（Ｄ）に流れ得、ガスタービンシステム１０から（例えば、大気に）排出され得る。ガスタービンシステム１０が複合サイクル発電プラント（例えば、ガスタービンシステムおよび蒸気タービンシステムを含む）の一部である別の非限定的な例では、燃焼ガス２６は、排気フレーム３４から排出され得、流れ方向（Ｄ）で複合サイクル発電プラントの排熱回収ボイラに流入してもよい。
【００１９】
図２を参照すると、タービン２８の一部が示されている。具体的には、図２は、タービンブレード３８の段（１つを示す）と、タービン２８のケーシング３６内に配置されたステータベーン４０の段（１つを示す）とを含むタービン２８の一部の側面図を示す。本明細書で説明するように、タービンブレード３８の各段（例えば、第１の段、第２の段（図示せず）、第３の段（図示せず））は、ロータ３０に結合され、その周囲に円周方向に配置され得、かつ燃焼ガス２６によって駆動されてロータ３０を回転させ得る複数のタービンブレード３８を含んでもよい。さらに、ステータベーン４０の各段（例えば、第１の段、第２の段（図示せず）、第３の段（図示せず））は、タービン２８のケーシング３６に結合され、および／またはタービン２８のケーシング３６の周りに円周方向に配置され得る複数のステータベーンを含んでもよい。図２に示す非限定的な例では、ステータベーン４０は、複数の高温ガス経路（ＨＧＰ）構成要素２００を含んでもよい。例えば、ステータベーン４０のＨＧＰ構成要素２００は、タービン２８のケーシング３６に対してステータベーン４０に隣接して配置されたおよび／またはタービン２８のケーシング３６にステータベーン４０を結合する外側プラットフォーム２００Ａ、および外側プラットフォーム２００Ａの反対側に配置された内側プラットフォーム２００Ｂを含み、および／またはそれらとして形成されてもよい。タービン２８のステータベーン４０はまた、外側プラットフォーム２００Ａと内側プラットフォーム２００Ｂとの間に配置された翼形部４２を含んでもよい。ステータベーン４０の外側プラットフォーム２００Ａおよび内側プラットフォーム２００Ｂは、ステータベーン４０上を流れる燃焼ガス２６の流路（ＦＰ）を画定してもよい。
【００２０】
ステータベーン４０は、支持体２０２を介してケーシング３６に結合されてもよい。支持体２０２は、タービン２８のケーシング３６から半径方向内向きに延在してもよく、ステータベーン４０の外側プラットフォーム２００Ａとして形成されたＨＧＰ構成要素に結合されて、および／またはそれを受け入れて、ケーシング３６におよび／またはケーシング３６内にステータベーン４０を結合、配置および／または固定するように構成されてもよい。非限定的な例では、支持体２０２は、タービン２８のケーシング３６に結合および／または固定されてもよい。さらに具体的には、支持体２０２は、ケーシング３６の周りに円周方向に配置されてもよく、タービンブレード３８に隣接して軸方向に配置されてもよい。別の非限定的な例（図示せず）では、支持体２０２は、ケーシング３６におよび／またはケーシング３６内にステータベーン４０を結合、配置および／または固定するために、ケーシング３６と一体に形成されてもよい。本明細書で説明するように、別の非限定的な例（図示せず）では、タービンブレード３８に関連付けられたＨＧＰ構成要素の支持体に支持体２０２が直接結合および／または固定されてもよい。
【００２１】
タービン２８の各タービンブレード３８は、ロータ３０から半径方向に延在し、タービン２８を通って流れる燃焼ガス２６の流路（ＦＰ）内に配置された翼形部４６を含んでもよい。各翼形部４６は、ロータ３０の半径方向反対側に配置された先端部分４８を含んでもよい。タービンブレード３８およびステータベーン４０はまた、ケーシング３６内で互いに軸方向に隣接して配置されてもよい。図２に示す非限定的な例では、ステータベーン４０は、タービンブレード３８に軸方向に隣接し、タービンブレード３８の下流に配置されてもよい。明確化のために、タービン２８のタービンブレード３８、ステータベーン４０および／またはロータ３０の全部が示されているわけではない。さらに、タービンブレード３８の単一段およびタービン２８のステータベーン４０の一部のみが図２に示されているが、タービン２８は、タービン２８のケーシング３６全体にわたって軸方向に配置された複数段のタービンブレードおよびステータベーンを含んでもよい。
【００２２】
ガスタービンシステム１０のタービン２８（図１を参照）はまた、複数の高温ガス経路（ＨＧＰ）構成要素１００を含んでもよい。図２に示す非限定的な例では、ＨＧＰ構成要素１００は、タービン２８内に含まれるタービンシュラウドであってよい。図２〜図１３に関して本明細書で説明するこの非限定的な例では、ＨＧＰ構成要素１００とタービンシュラウドとは交換可能に使用されてもよい。タービン２８は、ＨＧＰ構成要素１００の段を含んでもよい（１つを示す）。ＨＧＰ構成要素１００は、タービンブレード３８の段および／またはステータベーン４０の段に対応し得る。すなわち、本明細書で説明するように、ＨＧＰ構成要素１００の段は、タービンブレード３８の段および／またはステータベーン４０の段に隣接するタービン２８内に配置されて、タービン２８を通って流れる燃焼ガス２６の流路（ＦＰ）と相互作用し、この流路（ＦＰ）にシールを提供してもよい。図２に示す非限定的な例では、ＨＧＰ構成要素１００の段は、タービンブレード３８の段に半径方向に隣接して配置されてもよく、および／またはタービンブレード３８の段を実質的に取り囲むか包囲してもよい。ＨＧＰ構成要素１００は、タービンブレード３８の翼形部４６の先端部分４８に半径方向に隣接して配置されてもよい。さらに、ＨＧＰ構成要素１００はまた、タービン２８のステータベーン４０に軸方向に隣接し、および／またはタービン２８のステータベーン４０の上流に配置されてもよい。
【００２３】
ステータベーン４０と同様に、ＨＧＰ構成要素１００の段は、タービン２８のケーシング３６に結合され、その周りに円周方向に配置され得る複数のＨＧＰ構成要素１００を含んでもよい。図２に示す非限定的な例では、ＨＧＰ構成要素１００は、タービン２８のケーシング３６から半径方向内向きに延在する支持体１０２を介してケーシング３６に結合されてもよい。支持体１０２は、ＨＧＰ構成要素１００のファスナまたはフック（図４を参照）に結合されて、および／またはそれを受け入れて、タービン２８のケーシング３６にＨＧＰ構成要素１００を結合、配置および／または固定するように構成されてもよい。非限定的な例では、支持体１０２は、タービン２８のケーシング３６に結合および／または固定されてもよい。さらに具体的には、支持体１０２は、ケーシング３６の周りに円周方向に配置されてもよく、タービンブレード３８に半径方向に隣接して配置されてもよい。別の非限定的な例（図示せず）では、支持体１０２は、ケーシング３６にＨＧＰ構成要素１００を結合、配置および／または固定するためにケーシング３６と一体に形成されてもよい。タービンブレード３８および／またはステータベーン４０と同様に、タービン２８のＨＧＰ構成要素１００の段の一部のみが図２に示されているが、タービン２８は、タービン２８のケーシング３６全体にわたって軸方向に配置され、かつ支持体１０２を使用してケーシング３６に結合された複数段のＨＧＰ構成要素１００を含んでもよい。
【００２４】
図３を参照すると、ＨＧＰ構成要素１００および支持体１０２を含むタービン２８の拡大部分が示されている。本明細書で説明するように、タービン２８のＨＧＰ構成要素１００および支持体１０２は、タービン２８の動作中にＨＧＰ構成要素１００を冷却するために、高圧流体（ＨＰＦ）とともに低圧流体（ＬＰＦ）の使用を可能にする様々な追加の特徴を含んでもよい。ＨＧＰ構成要素１００および／または支持体１０２にこれらの特徴を含めると、ＨＧＰ構成要素１００を冷却するのに必要な高圧流体の量が減少し得、これにより、タービンシステム１０（図１を参照）内の燃料消費量および／または発熱率が減少する。
【００２５】
図２および図３に示すように、支持体１０２は、高圧流体チャンバ１０４を含んでもよい。高圧流体チャンバ１０４は、支持体１０２内に、ＨＧＰ構成要素１００に半径方向に隣接して、および／またはＨＧＰ構成要素１００から半径方向外向きに形成されてもよい。さらに、本明細書で説明するように、高圧流体チャンバ１０４は、ＨＧＰ構成要素１００の特徴（例えば、ノズル）と流体結合および／または流体連通してもよい。高圧流体チャンバ１０４は、支持体１０２内に形成されて、タービン２８を通っておよび／またはタービン２８内に流れる高圧流体（ＨＰＦ）を受け取ってもよく、高圧流体（ＨＰＦ）は、続いて、ガスタービンシステム１０（図１を参照）の動作中にＨＧＰ構成要素１００に提供されてもよい。図２および図３に示す非限定的な例では、高圧流体（ＨＰＦ）は、タービン２８および／またはタービンケーシング３６内を流れていてもよい。具体的には、ＨＰＦは、支持体１０２に実質的に隣接し、および／または支持体１０２の上流にあるタービン２８の領域５０内および／または領域５０を通って流れていてもよい。ＨＰＦは、タービンシステム１０（図１を参照）の動作中にＨＧＰ構成要素１００を冷却するのに適した、タービン２８内を流れる任意の好適な流体（例えば、空気）であってよい。非限定的な例では、ＨＰＦは、タービン２８の圧縮機排出チャンバ（ＣＤＣ）から流れる流体であってよい。
【００２６】
支持体１０２はまた、その中に形成された少なくとも１つの高圧供給導管１０６を含んでもよい。高圧供給導管１０６は、高圧流体チャンバ１０４と流体連通および／または流体結合してもよい。すなわち、高圧供給導管１０６は、高圧流体チャンバ１０４と同様に、ＨＰＦを収容する領域５０と流体連通してもよい。その結果、高圧供給導管１０６は、領域５０を通って流れるＨＰＦを受け取ってもよく、支持体１０２の高圧流体チャンバ１０４にＨＰＦを提供してもよい。本明細書で説明するように、高圧流体チャンバ１０４は、高圧供給導管１０６から受け取ると、ＨＰＦをＨＧＰ構成要素１００に提供してもよい。非限定的な例では、単一の高圧供給導管１０６のみを含むものとして示されているが、支持体１０２は、ＨＧＰ構成要素１００にＨＰＦを提供するための複数の高圧供給導管１０６（例えば、図７）を含み得ることが理解される。
【００２７】
図２および図３に示すように、支持体１０２はまた、少なくとも１つの低圧供給導管１０８を含んでもよい。低圧供給導管１０８は、低圧流体（ＬＰＦ）を収容し得る、タービンケーシング３６内の領域５２と流体連通および／または流体結合してもよい。ＬＰＦは、タービン２８の支持体１０２に実質的に隣接しておよび／またはタービン２８の支持体１０２の下流に流れていてもよい。したがって、ＬＰＦを収容する領域５２は、支持体１０２とステータベーン４０の外側プラットフォーム２００Ａとの間に形成されてもよい。さらに、図２および図３に示し、本明細書で説明するように、低圧供給導管１０８は、タービンシステム１０（図１を参照）の動作中に領域５２からＨＧＰ構成要素１００にＬＰＦを提供するために、ＨＧＰ構成要素１００と流体結合および／または流体連通してもよい。本明細書で説明するように、ＬＰＦは、ＨＧＰ構成要素１００を冷却するためにタービン２８内を流れる任意の好適な流体（例えば、空気）であってよい。非限定的な例では、ＬＰＦは、タービンブレード３８とステータベーン４０との間を流れる、タービン２８の圧縮機抽出流体であってよい。
【００２８】
図２および図３に示す非限定的な例では、支持体１０２は、単一の、連続的な、および／または分離されていない構成要素または部品を含み、および／またはそれとして形成され得る。非限定的な例では、支持体１０２は単一の、連続的な、および／または分離されていない構成要素または部品から形成されるため、支持体１０２は、支持体１０２を完全に形成するために、様々な部品の構築、接合、結合および／または組み立てを必要としなくてもよく、および／または、支持体１０２がタービンシステム１０（図１を参照）内に設置および／または実装され得る前に、様々な部品の構築、接合、結合および／または組み立てを必要としなくてもよい。むしろ、単一の、連続的な、および／または分離されていない支持体１０２が構築されて、その中に様々な特徴（例えば、高圧供給導管１０６、低圧供給導管１０８）を含むと、支持体１０２はタービンシステム１０および／またはタービンケーシング３６内に直ちに設置され得る。
【００２９】
非限定的な例では、支持体１０２、およびその中に形成された様々な特徴、（例えば、高圧流体チャンバ１０４、高圧供給導管１０６、低圧供給導管１０８）は、任意の好適な付加製造プロセスおよび／または方法を使用して形成されてもよい。例えば、支持体１０２は、直接金属レーザ溶融（ＤＭＬＭ）（選択的レーザ溶融（ＳＬＭ）とも呼ばれる）、直接金属レーザ焼結（ＤＭＬＳ）、電子ビーム溶融（ＥＢＭ）、ステレオリソグラフィ（ＳＬＡ）、バインダ噴射または任意の他の好適な付加製造プロセスによって形成されてもよい。さらに、支持体１０２は、付加製造プロセスによって利用され得る、および／または動作中にガスタービンシステム１０内の支持体１０２が経験する動作特性（例えば、曝露温度、曝露圧力など）に耐えることが可能であり得る任意の材料から形成されてもよい。
【００３０】
別の非限定的な例では、支持体１０２は、複数のおよび／または別個の部分または構成要素として形成されてもよい。例えば、支持体１０２は、支持体１０２の様々な特徴の少なくとも一部を含む２つの別個の構成要素または部品から形成されてもよい。支持体１０２を形成する２つの構成要素は、支持体１０２がガスタービンシステム１０内のタービン２８に設置される前に、互いに接合、結合および／または固定されてもよい。支持体１０２を形成する各構成要素、および支持体１０２の様々な特徴は、任意の好適な製造プロセスおよび／または方法を使用して形成されてもよい。例えば、２つの別個の構成要素を含む支持体１０２は、フライス加工、旋削加工、切削加工、鋳造、成形、穿孔などによって形成されてもよい。さらなる非限定的な例では、支持体１０２は、限定するものではないが、フライス加工、旋削加工、切削加工、穿孔などを含む好適な材料除去または削減プロセスを実行することにより、単一片の材料から形成されてもよい。
【００３１】
図４〜図６は、図１のガスタービンシステム１０のタービン２８のＨＧＰ構成要素１００の様々な図を示している。具体的には、図４はＨＧＰ構成要素１００の等角図を示し、図５は図４の線ＣＳ−ＣＳに沿ったＨＧＰ構成要素１００の断面側面図を示し、図６は図５のＨＧＰ構成要素１００の一部の拡大断面側面図を示す。
【００３２】
ＨＧＰ構成要素１００は、本体１１０を含んでもよい。図４および図５に示す非限定的な例では、ＨＧＰ構成要素１００は、ＨＧＰ構成要素１００が単一の、連続的な、および／または分離されていない構成要素または部品であるように、単一本体１１０を含み、および／またはそれとして形成され得る。図４および図５に示す非限定的な例では、ＨＧＰ構成要素１００は単一本体を含むため、ＨＧＰ構成要素１００は、ＨＧＰ構成要素１００を完全に形成するために様々な部品の構築、接合、結合および／または組み立てを必要としなくてもよく、および／またはＨＧＰ構成要素１００がタービンシステム１０（図１を参照）内に設置および／または実装され得る前に、様々な部品の構築、接合、結合および／または組み立てを必要としなくてもよい。むしろ、本明細書で説明するように、ＨＧＰ構成要素１００の単一の、連続した、および／または分離されていない単一本体１１０が構築されると、ＨＧＰ構成要素１００はタービンシステム１０内に直ちに設置され得る。
【００３３】
非限定的な例では、ＨＧＰ構成要素１００の単一本体１１０、およびＨＧＰ構成要素１００の様々な構成要素および／または特徴は、任意の好適な付加製造プロセスおよび／または方法を使用して形成されてもよい。例えば、単一本体１１０を含むＨＧＰ構成要素１００は、直接金属レーザ溶融（ＤＭＬＭ）（選択的レーザ溶融（ＳＬＭ）とも呼ばれる）、直接金属レーザ焼結（ＤＭＬＳ）、電子ビーム溶融（ＥＢＭ）、ステレオリソグラフィ（ＳＬＡ）、バインダ噴射または任意の他の好適な付加製造プロセスによって形成されてもよい。さらに、ＨＧＰ構成要素１００の単一本体１１０は、ＨＧＰ構成要素１００を形成するために付加製造プロセスによって利用され得る、および／または動作中にガスタービンシステム１０内のＨＧＰ構成要素１００が経験する動作特性（例えば、曝露温度、曝露圧力など）に耐えることが可能であり得る任意の材料から形成されてもよい。
【００３４】
別の非限定的な例では、ＨＧＰ構成要素１００の本体１１０は、複数のおよび／または別個の部分または構成要素として形成されてもよい（図７および図８を参照）。例えば、本明細書で説明するように、ＨＧＰ構成要素１００の本体１１０は、フック１１２、１１８および内面を含み得る第１の部分、ならびにＨＧＰ構成要素１００の外面（および内部特徴の一部）を含み得る第２の部分から形成されてもよい。ＨＧＰ構成要素１００の本体１１０を形成する２つの構成要素は、ガスタービンシステム１０内のタービン２８に設置される前に、互いに接合、結合および／または固定されてＨＧＰ構成要素１００を形成してもよい。本体１１０を形成する各構成要素、およびＨＧＰ構成要素１００の様々な構成要素および／または特徴は、任意の好適な製造プロセスおよび／または方法を使用して形成されてもよい。例えば、２つの別個の構成要素を含む本体１１０を含むＨＧＰ構成要素１００は、フライス加工、旋削加工、切削加工、鋳造、成形、穿孔などによって形成されてもよい。
【００３５】
ＨＧＰ構成要素１００はまた、様々な端部、側面および／または表面を含んでもよい。例えば、図４および図５に示すように、ＨＧＰ構成要素１００の本体１１０は、前端１２０と、前端１２０の反対側に配置された後端１２２とを含んでもよい。前端１２０は、タービン２８内に画定された流路（ＦＰ）を通って流れる燃焼ガス２６が、ＨＧＰ構成要素１００の本体１１０の隣接する後端１２２を流れる前に隣接する前端１２０を流れ得るように、後端１２２の上流に配置されてもよい。図３および図４に示すように、前端１２０は、タービン２８がケーシング３６内でＨＧＰ構成要素１００を結合、配置および／または固定するために（図２を参照）、ケーシング３６の支持体１０２に結合および／または係合するように構成された第１のフック１１２を含んでもよい。さらに、後端１２２は、第１のフック１１２の反対側の本体１１０上に配置および／または形成された第２のフック１１８を含んでもよい。第１のフック１１２と同様に、第２のフック１１８は、タービン２８がケーシング３６内でＨＧＰ構成要素１００を結合、配置および／または固定するために（図２を参照）、ケーシング３６の支持体１０２に結合および／または係合するように構成されてもよい。
【００３６】
さらに、ＨＧＰ構成要素１００の本体１１０はまた、第１の側面１２４と、第１の側面１２４の反対側に配置された第２の側面１２６とを含んでもよい。図４に示すように、第１の側面１２４および第２の側面１２６は、前端１２０と後端１２２との間に延在し、および／または形成されてもよい。本体１１０の第１の側面１２４および第２の側面１２６は、実質的に閉じていてもよく、および／または中実端壁またはキャップを含んでもよい。したがって、本明細書で説明するように、第１の側面１２４および第２の側面１２６の中実端壁は、タービン２８内の流体（例えば、燃焼ガス２６、冷却流体）がＨＧＰ構成要素１００に入るのを、および／または冷却流体が第１の側面１２４および／または第２の側面１２６を介して、ＨＧＰ構成要素１００内に形成された内部分（例えば、通路、プレナム）から出るのを実質的に防止してもよい。
【００３７】
図４および図５に示すように、ＨＧＰ構成要素１００の本体１１０はまた、外面１２８を含んでもよい。非限定的な例では、外面１２８は、ＨＧＰ構成要素１００の本体１１０と支持体１０２との間に形成された高圧流体チャンバ１０４に面していてもよい（図２を参照）。さらに具体的には、外面１２８は、支持体１０２内に形成された高圧流体チャンバ１０４に配置、形成、対面および／または直接露出されてもよい。本明細書で説明するように、支持体１０２の高圧流体チャンバ１０４は、タービン２８の動作中にＨＰＦを受け取り、および／またはＨＧＰ構成要素１００に提供し得る。高圧流体チャンバ１０４に面することに加えて、ＨＧＰ構成要素１００の本体１１０の外面１２８はまた、それぞれ前端１２０と後端１２２との間、および第１の側面１２４と第２の側面１２６との間に形成、延在および／または配置されてもよい。
【００３８】
ＨＧＰ構成要素１００の本体１１０はまた、外面１２８の反対側に形成された内面１３０を含んでもよい。すなわち、図４および図５の非限定的な例に示すように、ＨＧＰ構成要素１００の本体１１０の内面１３０は、外面１２８の半径方向反対側におよび／または外面１２８から半径方向内向きに形成されてもよい。図２に簡単に戻り、図４および図５を引き続き参照すると、内面１３０は、タービン２８を通って流れる燃焼ガス２６の高温ガス流路（ＦＰ）に面してもよい（図２を参照）。さらに具体的には、内面１３０は、ガスタービンシステム１０のタービン２８のタービンケーシング３６を通って流れる燃焼ガス２６の高温ガス流路（ＦＰ）に配置、形成、対面および／または直接露出されてもよい。さらに、図２に示すように、ＨＧＰ構成要素１００の本体１１０の内面１３０は、翼形部４６の先端部分４８に半径方向に隣接して配置されてもよい。燃焼ガス２６の高温ガス流路（ＦＰ）に面することに加えて、外面１２８と同様に、ＨＧＰ構成要素１００の本体１１０の内面１３０はまた、それぞれ前端１２０と後端１２２との間、および第１の側面１２４と第２の側面１２６との間に形成および／または配置されてもよい。
【００３９】
引き続き図２〜図４を参照して図５および図６を見ると、ＨＧＰ構成要素１００の追加の特徴がここで説明される。ＨＧＰ構成要素１００は、内側部分１３２を含んでもよい。図５に示すように、内側部分１３２は、ＨＧＰ構成要素１００の単一本体１１０の一体部分として形成されてもよい。さらに、内側部分１３２は、内面１３０を含んでもよく、および／または内面１３０は、ＨＧＰ構成要素１００の本体１１０の内側部分１３２上に形成されてもよい。ＨＧＰ構成要素１００の本体１１０の内側部分１３２は、それぞれ前端１２０と後端１２２との間、および第１の側面１２４と第２の側面１２６との間に形成され、配置され、および／または延在してもよい。さらに、内側部分１３２は、本体１１０の第１の側面１２４および第２の側面１２６上に形成された中実側壁と一体に形成されてもよい（図４を参照）。図２および図３に簡単に戻ると、ＨＧＰ構成要素１００の内側部分１３２はまた、タービンシステム１０のタービン２８の高温ガス流路（ＦＰ）に隣接して配置されてもよく、および／または翼形部４６の先端部分４８に半径方向に隣接してもよく、および／またはそれから半径方向外向きにあってもよい。本明細書で説明するように、ＨＧＰ構成要素１００の内側部分１３２は、ＨＧＰ構成要素１００内に少なくとも１つの冷却チャネルを少なくとも部分的に形成および／または画定してもよい。
【００４０】
ＨＧＰ構成要素１００は、内側部分１３２の半径方向反対側に形成された外側部分１３４を含んでもよい。内側部分１３２と同様に、図５に示すように、外側部分１３４は、ＨＧＰ構成要素１００の単一本体１１０の一体部分として形成されてもよい。外側部分１３４は、外面１２８を含んでもよく、および／または外面１２８は、ＨＧＰ構成要素１００の本体１１０の外側部分１３４上に形成されてもよい。ＨＧＰ構成要素１００の本体１１０の外側部分１３４は、それぞれ前端１２０と後端１２２との間、および第１の側面１２４と第２の側面１２６との間に形成され、配置され、および／または延在してもよい。さらに、また内側部分１３２と同様に、外側部分１３４は、本体１１０の第１の側面１２４および第２の側面１２６上に形成された中実側壁と一体に形成されてもよい。図３および図５に示すように、外側部分１３４は、支持体１０２の高圧流体チャンバ１０４に隣接して（半径方向に）形成されてもよい。本明細書で説明するように、ＨＧＰ構成要素１００の外側部分１３４は、ＨＧＰ構成要素１００内に低圧流体チャネルを少なくとも部分的に形成および／または画定してもよい。
【００４１】
図５の非限定的な例に示すように、ＨＧＰ構成要素１００はまた、中間部分１３６を含んでもよい。中間部分１３６は、ＨＧＰ構成要素１００の単一本体１１０の内側部分１３２と外側部分１３４との間に（半径方向に）形成されてもよい。内側部分１３２および外側部分１３４と同様に、また図５に示すように、ＨＧＰ構成要素１００の中間部分１３６は、ＨＧＰ構成要素１００の本体１１０の一体部分として形成されてもよい。ＨＧＰ構成要素１００の本体１１０の中間部分１３６は、それぞれ前端１２０と後端１２２との間、および第１の側面１２４と第２の側面１２６との間に形成され、配置され、および／または延在してもよく、本体１１０の第１の側面１２４および第２の側面１２６上に形成された中実側壁と一体に形成されてもよい（図４を参照）。
【００４２】
内側部分１３２、外側部分１３４および／または中間部分１３６は、ＨＧＰ構成要素１００内のチャネルを少なくとも部分的に形成および／または画定してもよい。例えば、中間部分１３６および外側部分１３４は、ＨＧＰ構成要素１００内に低圧流体チャネル１３８を画定および／または形成してもよい。さらに具体的には、低圧流体チャネル１３８は、ＨＧＰ構成要素１００の単一本体１１０の中間部分１３６と外側部分１３４との間に形成されてもよい。低圧流体チャネル１３８は、単一本体１１０のそれぞれ前端１２０と後端１２２との間、および第１の側面１２４と第２の側面１２６との間に実質的に延在してもよい。本明細書で説明するように、低圧流体チャネル１３８は、ＨＧＰ構成要素１００を通して形成され、かつ支持体１０２の低圧供給導管１０８（仮想線で示される部分）と流体連通する開口１４０を介してＬＰＦを受け取ってもよい。
【００４３】
図５に示す非限定的な例では、中間部分１３６および内側部分１３２はまた、ＨＧＰ構成要素１００内に冷却チャネル１４２を画定および／または形成してもよい。すなわち、冷却チャネル１４２は、ＨＧＰ構成要素１００の単一本体１１０の中間部分１３６と内側部分１３２との間に形成されてもよい。冷却チャネル１４２は、本体１１０のそれぞれ前端１２０と後端１２２との間、および第１の側面１２４と第２の側面１２６との間に実質的に延在してもよい。本明細書で説明するように、冷却チャネル１４２は、ガスタービンシステム１０（図１を参照）の動作中にＨＰＦおよび低圧流体（ＬＰＦ）を受け取ってＨＧＰ構成要素１００を冷却し得、続いて、排出孔１４４を介してＨＧＰ構成要素１００からＨＰＦおよびＬＰＦを吐出または排出し得る。
【００４４】
ＨＧＰ構成要素１００の様々な部分（例えば、チャネル１３８、１４２）内にＨＰＦおよびＬＰＦを提供して構成要素を冷却するために、ＨＧＰ構成要素１００および／または本体１１０はまた、その中に形成された複数および／または一連の開口を含んでもよい。例えば、ＨＧＰ構成要素１００の外側部分１３４および中間部分１３６はそれぞれ、その中に形成され、および／またはそれを通って延在する複数および／または一連の開口、ノズルおよび／またはベンチュリを含んでもよい。図４〜図６に示す非限定的な例では、外側部分１３４は、その中に形成されるか、それを通って延在する複数の高圧開口またはノズル１４６（以下、「ノズル１４６」）を含んでもよい。複数のノズル１４６のそれぞれは、ＨＧＰ構成要素１００の単一本体１１０の外面１２８および外側部分１３４を通して形成されてもよい。外側部分１３４を通して形成された複数のノズル１４６は、支持体１０２の高圧流体チャンバ１０４と流体連通および／または流体結合してもよい。高圧流体チャンバ１０４に流体結合された結果として、複数のノズル１４６のそれぞれはまた、タービン２８および／または支持体１０２の高圧供給導管１０６を通って流れるＨＰＦと流体連通してもよい（図３を参照）。さらに、図５に示すように、外側部分１３４を通して形成された複数のノズル１４６は、支持体１０２の高圧流体チャンバ１０４とＨＧＰ構成要素１００の低圧流体チャネル１３８とを流体結合してもよい。本明細書で説明するように、外側部分１３４を通して形成された複数のノズル１４６のそれぞれは、高圧供給導管１０６および／または支持体１０２の高圧流体チャンバ１０４からＨＰＦを受け取り、続いて、ＨＧＰ構成要素１００の低圧流体チャネル１３８にＨＰＦを提供するか流してもよい。
【００４５】
また、図４〜図６の非限定的な例に示すように、中間部分１３６は、その中に形成されるか、それを通って延在する複数の低圧開口またはベンチュリ１４８（以下、「ベンチュリ１４８」）を含んでもよい。複数のベンチュリ１４８のそれぞれは、ＨＧＰ構成要素１００の単一本体１１０の中間部分１３６を通して形成されるか、それを通って延在してもよい。中間部分１３６を通して形成された複数のベンチュリ１４８は、ＨＧＰ構成要素１００の単一本体１１０内に形成された低圧流体チャネル１３８および冷却チャネル１４２と流体連通し得、および／または低圧流体チャネル１３８と冷却チャネル１４２とを流体結合し得る。さらに、ベンチュリ１４８は低圧流体チャネル１３８と流体連通しているため、ＨＧＰ構成要素１００のベンチュリ１４８はまた、低圧流体チャネル１３８を通って流れるＬＰＦと流体連通してもよく、および／または低圧流体チャネル１３８にＬＰＦを提供する支持体１０２の低圧供給導管１０８と流体連通してもよい。本明細書で説明するように、中間部分１３６を通して形成された複数のベンチュリ１４８のそれぞれは、低圧流体チャネル１３８からＬＰＦを受け取り、続いて、冷却チャネル１４２にＬＰＦを提供するか流してもよい。さらに、本明細書で説明するように、複数のベンチュリ１４８のそれぞれは、複数のノズル１４６を介して低圧流体チャネル１３８を通って流れる高圧流体（ＨＰＦ）を受け取り、続いて、冷却チャネル１４２にＨＰＦを提供するか流してもよい。本明細書で説明するように、ＨＧＰ構成要素１００のノズル１４６は、サイズ、形状および／または構成（例えば、ディフューザの包含）に基づいて、ＨＧＰ構成要素１００のベンチュリ１４８とは異なっていてもよい。
【００４６】
引き続き図５を参照して図６を見ると、単一のノズル１４６および単一のベンチュリ１４８を含むＨＧＰ構成要素１００の拡大断面図が示されている。図５および図６に示す非限定的な例では、ＨＧＰ構成要素１００の外側部分１３４に形成された複数のノズル１４６および中間部分１３６に形成された複数のベンチュリ１４８は、半径方向および／または同心に整列されてもよい。すなわち、複数のノズル１４６のそれぞれは、対応するベンチュリ１４８と整列され、および／または実質的に同心であってよい。さらに、図６の非限定的な例に示すように、外側部分１３４に形成された複数のノズル１４６のそれぞれは、中間部分１３６に形成された対応するベンチュリ１４８内に延在し得る区画１５０を含んでもよい。具体的には、区画１５０は、ＨＧＰ構成要素１００の半径方向および／または同心に整列された対応するベンチュリ１４８内に延在し得、および／または部分的に配置され得、および／またはそれに取り囲まれ得る。本明細書で説明するように、各ノズル１４６の区画１５０は、対応するベンチュリ１４８内に延在して、ベンチュリ１４８を通してＨＰＦを導いてもよい。さらに、または代替として、各ノズル１４６の区画１５０は、対応するベンチュリ１４８内に延在して、低圧流体チャネル１３８を通って流れる低圧流体（ＬＰＦ）をベンチュリ１４８に導き、および／またはＬＰＦがノズル１４６を通って半径方向外向きに流れるのを防止してもよい。
【００４７】
図６に示すように、複数のノズル１４６のそれぞれは、異なるサイズであってよく、および／または複数のベンチュリ１４８とは異なる寸法を含んでもよい。すなわち、複数のノズル１４６の寸法（例えば、直径）は、複数のベンチュリ１４８の寸法とは異なっていてもよい。非限定的な例では、外側部分１３４に形成された複数のノズル１４６のそれぞれは、ノズル開口または構成のスロートまたはネック（例えば、最も狭い部分）に第１の直径（Ｄ１）を含んでもよい。さらに、中間部分１３６に形成された複数のベンチュリ１４８のそれぞれは、ベンチュリ開口または構成のスロート（例えば、最も狭い部分）に第２の直径（Ｄ２）を含んでもよい。図６の非限定的な例に示すように、各ベンチュリ１４８の第２の直径（Ｄ２）は、ノズル１４６の第１の直径（Ｄ１）よりも大きくてよい。非限定的な例では、ベンチュリ１４８の第２の直径は、ノズル１４６の第１の直径（Ｄ１）の少なくとも２倍（例えば、２：１以上の比率）であってよい。他の非限定的な例では、ベンチュリ１４８の第２の直径は、ノズル１４６の第１の直径（Ｄ１）よりもわずかに大きくてよい（例えば、１０％大きい）。本明細書で説明するように、第１の直径（Ｄ１）および第２の直径（Ｄ２）のそれぞれのサイズまたは寸法、ならびに第１の直径（Ｄ１）と第２の直径（Ｄ２）との差により、ＨＧＰ構成要素１００を通って流れるＨＰＦおよびＬＰＦの速度および／または圧力が改善され得る。
【００４８】
図５および図６に示すように、ＨＧＰ構成要素１００内に形成されたノズル１４６およびベンチュリ１４８のサイズおよび／または数は単なる例示であることが理解される。したがって、ＨＧＰ構成要素１００は、さらに大きなまたはさらに小さなノズル１４６およびベンチュリ１４８を含み得、および／またはその中に形成されたさらに多くのまたはさらに少ないノズル１４６およびベンチュリ１４８を含み得る。さらに、ノズル１４６およびベンチュリ１４８はともにサイズおよび／または形状が実質的に均一であるように示されているが、ＨＧＰ構成要素１００に形成された複数のノズル１４６およびベンチュリ１４８のそれぞれは、別個のサイズおよび／または形状を含んでもよいことが理解される。ＨＧＰ構成要素１００に形成されたノズル１４６およびベンチュリ１４８のサイズ、形状および／または数は、動作中のガスタービンシステム１０の様々なパラメータ（例えば、曝露温度、曝露圧力、タービンケーシング３６内の位置、ＨＰＦ動作圧力／温度、ＬＰＦ動作圧力／温度など）に少なくとも部分的に依存し得る。さらに、または代替として、ＨＧＰ構成要素１００に形成されたノズル１４６およびベンチュリ１４８のサイズ、形状および／または数は、ＨＧＰ構成要素１００の特性（例えば、内側部分１３２の厚さ、外側部分１３４の厚さ、冷却チャネル１４２の体積など）に少なくとも部分的に依存し得る。
【００４９】
さらに、図６に示すように、ＨＧＰ構成要素１００の単一本体１１０の中間部分１３６はまた、複数のディフューザ１５２を含んでもよい。複数のディフューザ１５２のそれぞれは、中間部分１３６を通して形成された対応するベンチュリ１４８と一体に形成されてもよい。すなわち、図６に示すように、ディフューザ１５２は、各ベンチュリ１４８と一体に形成されてもよく、ベンチュリ１４８、さらに具体的には各ベンチュリ１４８のスロート（例えば、最も狭い部分）に半径方向に隣接して配置されてもよい。ディフューザ１５２はまた、ＨＧＰ構成要素１００の本体１１０の内側部分１３２に隣接して形成され、および／またはそれに向かって半径方向に延在してもよい。非限定的な例では、ディフューザ１５２は、ディフューザ１５２がＨＧＰ構成要素１００の内側部分１３２に（半径方向に）近づくにつれて大きくまたは広くなる分岐形状、幾何学的形状および／または構成を含んでもよい。非限定的な例では、ディフューザ１５２の最大寸法（例えば、直径）は、内側部分１３２に半径方向に隣接する端部１５４に形成されてもよい。ディフューザ１５２の端部１５４は、ノズル１４６の第１の直径（Ｄ１）およびベンチュリ１４８の第２の直径（Ｄ２）よりも大きくてよい第３の直径（Ｄ３）を含んでもよい。本明細書で説明するように、第１の直径（Ｄ１）および第２の直径（Ｄ２）のそれぞれのサイズまたは寸法に加えて、ＨＧＰ構成要素１００の各ディフューザ１５２の第３の直径（Ｄ３）のサイズにより、ＨＧＰ構成要素１００を通って流れるＨＰＦおよびＬＰＦの静圧が上昇し得る。
【００５０】
さらに、本明細書では実質的に円形であり、および／または別個の直径（例えば、第１の直径（Ｄ１）、第２の直径（Ｄ２）など）を含むものとして説明しているが、ノズル１４６、ベンチュリ１４８および／またはディフューザ１５２は、別個の形状または構成から形成されてもよいことが理解される。したがって、ノズル１４６、ベンチュリ１４８およびディフューザ１５２のそれぞれの寸法は、直径を含まなくてもよい。すなわち、例えば、ノズル１４６、ベンチュリ１４８および／またはディフューザ１５２は、実質的に正方形または多角形であってよい。これらの非限定的な例では、ノズル１４６、ベンチュリ１４８およびディフューザ１５２のそれぞれは、固有のおよび／または別個の領域（例えば、寸法）を含んでもよい。さらに具体的には、ノズル１４６のスロートは第１の領域（Ａ１）を含んでもよく、ベンチュリ１４８のスロートはノズル１４６の第１の領域（Ａ１）よりも大きくてよい第２の領域（Ａ２）を含んでもよく、ディフューザ１５２は、それぞれ第１の領域（Ａ１）および第２の領域（Ａ２）の両方よりも大きい第３の領域（Ａ３）を含んでもよい。
【００５１】
さらに、図４〜図６に示すように、ＨＧＰ構成要素１００はまた、複数の支持ピン１５６を含んでもよい。具体的には、ＨＧＰ構成要素１００の本体１１０は、内側部分１３２と中間部分１３６との間、および中間部分１３６と外側部分１３４との間に配置され／延在し、それらと一体に形成された複数の支持ピン１５６を含んでもよい。図５および図６に示すように、内側部分１３２と中間部分１３６との間に延在する複数の支持ピン１５６はまた、冷却チャネル１４２内に配置されてもよく、中間部分１３６と外側部分１３４との間に延在する複数の支持ピン１５６は低圧流体チャネル１３８内に配置されてもよい。複数の支持ピン１５６は、ＨＧＰ構成要素１００の本体１１０全体にわたって配置されて、内側部分１３２、外側部分１３４および／または中間部分１３６に支持、構造および／または剛性を提供してもよい。内側部分１３２、外側部分１３４および／または中間部分１３６の間に延在する、および／またはそれらと一体に形成された複数の支持ピン１５６を含めることにより、ＨＧＰ構成要素１００の様々な部分に追加の支持、構造および／または剛性を提供し、ガスタービンシステム１０の動作中のＨＧＰ構成要素１００の振動を実質的に防止してもよい。本明細書で説明するように、内側部分１３２、外側部分１３４および／または中間部分１３６に支持、構造および／または剛性を提供することに加えて、低圧流体チャネル１３８および／または冷却チャネル１４２内に配置された複数の支持ピン１５６はまた、ガスタービンシステム１０（図１を参照）の動作中にＨＧＰ構成要素１００の熱伝達および／または冷却を支援してもよい。複数の支持ピン１５６は、任意の好適な付加製造プロセスおよび／または方法を使用してＨＧＰ構成要素１００の単一本体１１０を形成する際に、内側部分１３２、外側部分１３４および／または中間部分１３６と一体に形成されてもよい。
【００５２】
図４〜図６に示すように、ＨＧＰ構成要素１００内に配置された支持ピン１５６のサイズ、形状および／または数は単なる例示である。したがって、ＨＧＰ構成要素１００は、さらに大きなまたはさらに小さな支持ピン１５６、様々なサイズの支持ピン１５６を含み得、および／またはその中に形成されたさらに多くのまたはさらに少ない支持ピン１５６を含み得る。ＨＧＰ構成要素１００に形成された支持ピン１５６のサイズ、形状および／または数は、動作中のガスタービンシステム１０の動作特性（例えば、曝露温度、曝露圧力、タービンケーシング３６内の位置など）に少なくとも部分的に依存し得る。さらに、または代替として、ＨＧＰ構成要素１００に形成された支持ピン１５６のサイズ、形状、および／または数は、ＨＧＰ構成要素１００の特性（例えば、内側部分１３２の厚さ、外側部分１３４の厚さ、チャネル１３８、１４２の高さなど）に少なくとも部分的に依存し得る。
【００５３】
図３〜図６を参照して、ＨＧＰ構成要素１００を通るＨＰＦおよびＬＰＦの例示的な流路が説明される。具体的には、図３、図５および図６では、流体の流れ方向が矢印によって表され得、「ＨＰＦ」および「ＬＰＦ」として標識され得る。
【００５４】
非限定的な例では、ＨＰＦは、領域５０から高圧供給導管１０６（図３を参照）を通って、支持体１０２の高圧流体チャンバ１０４に流入してもよい。ＨＰＦは、高圧流体チャンバ１０４から、外側部分１３４を通して形成された複数のノズル１４６を通って流れてもよい。ノズル１４６がベンチュリ１４８と半径方向に整列され、および／またはそれと同心である非限定的な例では、ＨＰＦは、中間部分１３６を通して形成されたベンチュリ１４８に直接流入し、および／またはそれを通って流れてもよい。ＨＰＦは、同じくベンチュリ１４８を通って流れるＬＰＦと混合し、ＬＰＦに実質的にエネルギーを与えるか、その速度を増加させてもよい。ＨＰＦは、ベンチュリ１４８を通って流れ得、中間部分１３６のディフューザ１５２によって拡散され得、ＨＧＰ構成要素１００の冷却チャネル１４２に流れ得る。冷却チャネル１４２内に入ると、ＨＰＦとＬＰＦとの混合物はＨＧＰ構成要素１００の内側部分１３２を実質的に冷却し得、冷却チャネル１４２を通って前端１２０または後端１２２に向かって流れてから、冷却チャネル１４２の排出孔１４４を介してＨＧＰ構成要素から排出され得る。
【００５５】
ＨＧＰ構成要素１００を通って流れるＨＰＦと同時におよび／またはそれとは独立して、ＬＰＦはＨＧＰ構成要素１００に提供され、それを通って流れてもよい。ＬＰＦは、領域５２から、支持体１０２の低圧供給導管１０８を通って流れてもよい（図３を参照）。非限定的な例では、低圧供給導管１０８は、ＨＧＰ構成要素１００の後端１２２を通して形成された低圧流体チャネル１３８の開口１４０と直接流体連通してもよい。さらに、仮想線で示すように、別個の低圧供給導管１０８が、ＨＧＰ構成要素１００の前端１２０を通して形成された低圧流体チャネル１３８の別個の開口１４０と直接流体連通してもよい。したがって、低圧流体チャネル１３８の対向する両側面または端部にＬＰＦが提供されてもよい。ＬＰＦは、低圧流体チャネル１３８に提供されると、中間部分１３６を通して形成された複数のベンチュリ１４８を通って流れてもよい。ノズル１４６の区画１５０（図６を参照）がベンチュリ１４８内に延在する非限定的な例では、ノズル１４６はベンチュリ１４８を通してＬＰＦを導いてもよい。さらに、ノズル１４６がベンチュリ１４８と半径方向に整列され、および／またはそれと同心である場合、ＬＰＦはベンチュリ１４８に直接流入し得、ベンチュリ１４８を流れる際にＨＰＦと混合し、実質的に活性化されるか、速度が増加され得る。ＨＰＦと同様に、ＬＰＦはベンチュリ１４８を通って流れ得、中間部分１３６のディフューザ１５２によって拡散され得、ＨＧＰ構成要素１００の冷却チャネル１４２に流れ得る。冷却チャネル１４２内に入ると、ＬＰＦは、ＨＰＦとともに、ＨＧＰ構成要素１００の内側部分１３２を実質的に冷却し得、冷却チャネル１４２を通って前端１２０または後端１２２に向かって流れてから、冷却チャネル１４２の排出孔１４４および１４５を介してＨＧＰ構成要素から排出され得る（図５を参照）。
【００５６】
図７および図８は、ＨＧＰ構成要素１００および支持体１０２を含むタービン２８の別の非限定的な例の様々な図を示している。具体的には、図７は、支持体１０２に結合されたＨＧＰ構成要素１００を含むガスタービンシステム１０（図１を参照）のタービン２８の一部の非限定的な例の拡大側面図を示し、図８は、図７に示すＨＧＰ構成要素１００の別の非限定的な例の断面側面図を示す。同様の符号および／または名称を付した構成要素は、実質的に同様の様式で機能し得ることが理解される。これらの構成要素の冗長な説明は、明確化のために省略されている。
【００５７】
図７に示すように、また図３に関して本明細書で説明する非限定的な例と比較すると、支持体１０２は高圧流体チャンバ１０４を含まなくてもよい（図３を参照）。むしろ、支持体１０２は、ＨＧＰ構成要素１００の外面１２８に当接または接触し得る実質的に中実および／または連続的な構成要素または部品として形成され得、その中に形成された複数の供給導管を含み得る。図７に示す非限定的な例では、支持体１０２は、複数の高圧供給導管１０６と、その中に形成された単一の低圧供給導管１０８とを含んでもよい。複数の高圧供給導管１０６は、支持体１０２を通って、例えば、ＨＧＰ構成要素１００の前端１２０または後端１２２まで延在してもよい。さらに、複数の高圧供給導管１０６のそれぞれは、ＨＧＰ構成要素１００と直接流体連通および／または直接流体結合してもよい。すなわち、支持体１０２の複数の高圧供給導管１０６のそれぞれは、領域５０、およびＨＧＰ構成要素１００のチャネル（例えば、高圧流体チャネル）（図８を参照）と流体連通および／または流体結合してもよい。本明細書で説明するように、高圧供給導管１０６は、ガスタービンシステム１０（図１を参照）の動作中に領域５０からＨＧＰ構成要素１００に高圧流体（ＨＰＦ）を提供してもよい。
【００５８】
引き続き図７を参照して図８を見ると、ＨＧＰ構成要素１００は、タービン２８で利用される際に追加の特徴および／または構成要素を含んでもよい。例えば、本明細書で説明するように、ＨＧＰ構成要素１００は、単一本体１１０から形成されなくてもよい。むしろ、ＨＧＰ構成要素１００は、第１の部分１５７、および別個の第２の部分１５８から形成されてもよい。さらに具体的には、ＨＧＰ構成要素１００は、第１の部分１５７、および第１の部分１５７に接合、結合および／または固定され得る第２の部分１５８から形成され、および／またはそれらを含んでもよい。図８に示すように、ＨＧＰ構成要素１００の第１の部分１５７は、ＨＧＰ構成要素１００のフック１１２、１１８、内面１３０および内側部分１３２を含んでもよい。さらに、非限定的な例では、本明細書で説明するように、ＨＧＰ構成要素１００の第１の部分１５７は、開口１４０を含む低圧流体チャネル１３８の一部と、開口１６２を含む高圧流体チャネル１６０の一部とを含んでもよい。
【００５９】
第２の部分１５８は、第１の部分１５７とは異なる特徴および／またはＨＧＰ構成要素１００の部分を含んでもよい。例えば、本明細書で説明するように、第２の部分１５８は、外側部分１３４と、中間部分１３６と、ＨＧＰ構成要素１００の外面１２８を含む上部プレート１５９とを含んでもよい。さらに、非限定的な例では、第２の部分１５８はまた、外側部分１３４を通して形成されたノズル１４６と、中間部分１３６を通して形成されたベンチュリ１４８と、それぞれ外側部分１３４、中間部分１３６および上部プレート１５９の間におよび／またはそれらから延在する複数の支持ピン１５６とを含んでもよい。図８に示すように、第２の部分１５８はまた、外側部分１３４と中間部分１３６との間に形成された低圧流体チャネル１３８の一部と、外側部分１３４と上部プレート１５９との間に形成された高圧流体チャネル１６０の一部とを含んでもよい。冷却チャネル１４２は、第１の部分１５７と第２の部分１５８との間、さらに具体的には、第２の部分１５８の中間部分１３６と第１の部分１５７の内側部分１３２との間に形成されてもよい。
【００６０】
図８に示す非限定的な例では、第１の部分１５７および第２の部分１５８は、別個の材料から形成されてもよい。例えば、フック１１２、１１８および内側部分１３２を含む第１の部分１５７は、材料物性および／または特性（例えば、融点、熱伝達特性、硬度、延性など）の第１のセットを有する第１の金属または合金から形成されてもよく、第２の部分１５８は、材料物性および／または特性の第２のセットを有する第２の金属または合金から形成されてもよい。あるいは、第１の部分１５７および第２の部分１５８は、同一の材料から形成されてもよい。第１の部分１５７および第２の部分１５８のそれぞれは、限定するものではないが、フライス加工、旋削加工、切削加工、鋳造、成形、穿孔などを含む任意の好適な製造プロセスを使用して個々におよび／または別個にそれぞれ形成されてもよい。さらに、第１の部分１５７および第２の部分１５８は、限定するものではないが、溶接、締結、溶融、焼結、ろう付けなどを含む任意の好適な接合プロセスまたは技術を使用して、ＨＧＰ構成要素１００を形成するために互いに接合、結合および／または固定されてもよい。
【００６１】
図８に示す非限定的な例では、ＨＧＰ構成要素１００はまた、第２の部分１５８の外側部分１３４の半径方向外向き、半径方向に隣接して、および／または半径方向上方に形成された上部プレート１５９を含んでもよい。さらに、図７および図８に示すように、上部プレート１５９は、支持体１０２の一部から半径方向内向きに配置され得、および／または支持体１０２の一部に実質的に接触または当接し得る。上部プレート１５９は、それぞれ前端１２０と後端１２２との間、および第１の側面１２４と第２の側面１２６との間に実質的に形成、延在および／または配置され得る実質的に中実のまたは連続的な（例えば、開口またはベンチュリのない）構成要素から形成されてもよい。本明細書で説明する非限定的な例では、上部プレート１５９は、ＨＧＰ構成要素１００を形成する第２の部分１５８の一部であるか、その中に形成され得る。他の非限定的な例（図示せず）では、上部プレート１５９は、第１の部分１５７および／または第２の部分１５８に接合、結合および／または固定されてＨＧＰ構成要素１００を形成し得るＨＧＰ構成要素１００の別個の構成要素または部品であってよい。
【００６２】
さらに、図８に示すように、ＨＧＰ構成要素１００はまた、高圧流体チャネル１６０を含んでもよい。高圧流体チャネル１６０は、外側部分１３４と上部プレート１５９との間に形成されてもよい。すなわち、ＨＧＰ構成要素１００の上部プレート１５９および外側部分１３４は、ＨＧＰ構成要素１００内に高圧流体チャネル１６０を画定および／または形成してもよい。高圧流体チャネル１６０は、ＨＧＰ構成要素１００のそれぞれ前端１２０と後端１２２との間、および第１の側面１２４と第２の側面１２６との間に実質的に延在してもよい。高圧流体チャネル１６０は、ＨＧＰ構成要素１００の第１の部分１５７を通って延在する、および／またはＨＧＰ構成要素１００の前端１２０または後端１２２に隣接して形成された開口１６２を含んでもよい。開口１６２は、それぞれの高圧供給導管１０６（仮想線で示される部分）に流体結合されて、支持体１０２の高圧供給導管１０６からＨＰＦを受け取り、続いて高圧流体チャネル１６０にＨＰＦを供給してもよい。高圧流体チャネル１６０は、外側部分１３４を通して形成された複数のノズル１４６にＨＰＦを供給または提供してもよい。本明細書で同様に説明するように、ＨＰＦは、ノズル１４６を通って流れて、ベンチュリ１４８を通って流れるＬＰＦと混合し、ＬＰＦに実質的にエネルギーを与えるか、その速度を増加させてもよい。ＨＰＦは、ＨＧＰ構成要素１００の冷却チャネル１４２に提供されてから、一連の開口１４５を介してＨＧＰ構成要素１００から排出されてもよい。
【００６３】
図９は、支持体１０２に結合されたＨＧＰ構成要素１００を含むガスタービンシステム１０（図１を参照）のタービン２８の一部の拡大側面図の別の非限定的な例を示す。非限定的な例では、ＨＧＰ構成要素１００は、図３〜図５に関して本明細書で同様に説明するように、単一本体１１０として形成されてもよい。さらに、非限定的な例では、支持体１０２は、単一の高圧供給導管１０６のみを含んでもよい。高圧供給導管１０６は、支持体１０２を通って領域５０からＨＧＰ構成要素１００の単一本体１１０の隣接する前端１２０まで形成され、および／または延在し得る。本明細書で同様に説明するように、支持体１０２の高圧供給導管１０６は、領域５０およびＨＧＰ構成要素１００（例えば、高圧流体チャネル１６０）（図８を参照）と流体連通および／または流体結合して、ガスタービンシステム１０（図１を参照）の動作中に領域５０からＨＧＰ構成要素１００に高圧流体（ＨＰＦ）を提供してもよい。
【００６４】
さらに、図９に示す非限定的な例では、支持体１０２は低圧流体チャンバ１６４を含んでもよい。低圧流体チャンバ１６４は、支持体１０２内に、ＨＧＰ構成要素１００に半径方向に隣接して、および／またはＨＧＰ構成要素１００から半径方向外向きに形成されてもよい。低圧流体チャンバ１６４は、支持体１０２内に形成されて、タービン２８の領域５２を通っておよび／またはタービン２８の領域５２内に流れる低圧流体（ＬＰＦ）を受け取ってもよく、低圧流体（ＬＰＦ）は、続いて、ガスタービンシステム１０（図１を参照）の動作中にＨＧＰ構成要素１００に提供されてもよい。例えば、低圧流体チャンバ１６４は、少なくとも１つの低圧入口１６６、および支持体１０２内に形成された少なくとも１つの低圧供給導管１０８と流体結合および／または流体連通してもよい。非限定的な例では、低圧入口１６６は、ＬＰＦを収容し得る、タービンケーシング３６内の領域５２と流体連通および／または流体結合してもよく、低圧流体チャンバ１６４と流体連通および／または流体結合してもよい。低圧入口１６６は、領域５２からＬＰＦを受け取り、低圧流体チャンバ１６４にＬＰＦを提供してもよい。本明細書で同様に説明するように、ＬＰＦは、低圧流体チャンバ１６４に受け取られると、少なくとも１つの低圧供給導管１０８に提供され、続いて、低圧供給導管１０８を介してＨＧＰ構成要素１００の低圧流体チャネル１３８（図５を参照）に提供されてもよい。
【００６５】
図１０および図１１は、ＨＧＰ構成要素１００および支持体１０２を含むタービン２８の別の非限定的な例の様々な図を示している。具体的には、図１０は、支持体１０２に結合されたＨＧＰ構成要素１００を含むガスタービンシステム１０（図１を参照）のタービン２８の一部の非限定的な例の拡大側面図を示し、図１１は、図１０に示すＨＧＰ構成要素１００の別の非限定的な例の断面側面図を示す。同様の符号および／または名称を付した構成要素は、実質的に同様の様式で機能し得ることが理解される。これらの構成要素の冗長な説明は、明確化のために省略されている。
【００６６】
図９に示す非限定的な例と同様に、支持体１０２は、低圧流体チャンバ１６４を含んでもよい。低圧流体チャンバ１６４は、支持体１０２内に、ＨＧＰ構成要素１００に半径方向に隣接して、および／またはＨＧＰ構成要素１００から半径方向外向きに形成されてもよい。本明細書で説明するように、低圧流体チャンバ１６４は、タービン２８の領域５２を通っておよび／またはタービン２８の領域５２内を流れる低圧流体（ＬＰＦ）を受け取ってもよい。非限定的な例では、低圧流体チャンバ１６４は、支持体１０２内に形成された低圧供給導管１０８と流体結合および／または直接流体連通してもよい。低圧供給導管１０８は、ＬＰＦを収容し得る、タービンケーシング３６内の領域５２と流体連通および／または流体結合してもよく、低圧流体チャンバ１６４にＬＰＦを提供してもよい。
【００６７】
ただし、図１０および図１１に示す非限定的な例は、本明細書で説明するＨＧＰ構成要素１００および／または支持体１０２の他の非限定的な例とは異なる構成を有するＨＧＰ構成要素１００および／または支持体１０２を含む。例えば、図９に示す非限定的な例とは異なり、低圧流体チャンバ１６４は、ＨＧＰ構成要素１００の特徴と流体結合および／または直接流体連通してもよい。さらに具体的には、図１０および図１１に示すように、ＨＧＰ構成要素１００の外側部分１３４がＨＧＰ構成要素１００内の低圧流体チャンバ１６４を少なくとも部分的に形成および／または画定し得るように、低圧流体チャンバ１６４は、ＨＧＰ構成要素１００の外側部分１３４に隣接して（半径方向に）形成されてもよい。さらに、低圧流体チャンバ１６４は、ＨＧＰ構成要素１００の外側部分１３４を通して形成されたか、それを通って延在する複数のノズル１４６と流体結合および／または直接流体連通してもよい。本明細書で説明するように、低圧流体チャンバ１６４は、外側部分１３４を通って延在する複数のノズル１４６に半径方向に隣接して直接流体連通するように形成される結果として、ＨＧＰ構成要素１００を冷却する際に複数のノズル１４６のそれぞれにＬＦＰを提供し得る。
【００６８】
支持体１０２はまた、その中に形成された少なくとも１つの高圧供給導管１０６を含んでもよい。高圧供給導管１０６は、ＨＰＦを収容する領域５０、およびＨＧＰ構成要素１００と直接流体連通および／または流体結合してもよい。さらに具体的には、図１０および図１１に示すように、高圧供給導管１０６は、タービン２８の領域５０（図１０を参照）およびＨＧＰ構成要素１００の高圧流体チャネル１６０（図１１を参照）と流体連通および／または流体結合して、領域５０からＨＧＰ構成要素１００の高圧流体チャネル１６０までＨＰＦを提供してもよい。図１１に示す非限定的な例では、高圧供給導管１０６は、ＨＧＰ構成要素１００の前端１２０を通して形成された開口１６２を介して高圧流体チャネル１６０と流体連通してもよい。低圧流体チャンバ１６４がノズル１４６と直接流体連通し、本明細書で説明する非限定的な例（例えば、図９）とは異なる結果として、高圧流体チャネル１６０は、ＨＧＰ構成要素１００の本体１１０の外側部分１３４と中間部分１３６との間に形成され、および／またはそれらによって画定されてもよい。本明細書で説明するように、中間部分１３６を通して形成されたか、それを通って延在する複数のベンチュリ１４８のそれぞれは、高圧流体チャネル１６０と流体結合および／または直接流体連通してもよく、ＨＧＰ構成要素１００を冷却する際にＨＰＦを受け取ってもよい。
【００６９】
図１０および図１１を参照して、ＨＧＰ構成要素１００を通るＬＰＦおよびＨＰＦの例示的な流路が説明される。非限定的な例では、ＬＰＦは、領域５２から、支持体１０２の低圧供給導管１０８（図１０を参照）を通って低圧流体チャンバ１６４に流れてもよい。ＬＰＦは、低圧流体チャンバ１６４から、外側部分１３４を通して形成された複数のノズル１４６を通って流れてもよい。ノズル１４６がベンチュリ１４８と半径方向に整列され、および／またはそれと同心である非限定的な例では、ＬＰＦは、中間部分１３６を通して形成されたベンチュリ１４８に直接流入し得、および／またはそれを通って流れ得る。追加的または代替的に、ＬＰＦは、図１１に示すＨＧＰ構成要素１００の外側部分１３４と中間部分１３６との間に形成された高圧流体チャネル１６０を含む複数のノズル１４６のそれぞれから流れてもよい。本明細書で説明するように、ＬＰＦは、同じくベンチュリ１４８を通って流れるＨＰＦと混合し、ＨＰＦによって実質的にエネルギーを与えられるか、速度を増加されてもよい。ＬＰＦは、ベンチュリ１４８を通って流れ得、中間部分１３６のディフューザ１５２によって拡散され得、ＨＧＰ構成要素１００の冷却チャネル１４２に流れ得る。冷却チャネル１４２内に入ると、ＬＰＦとＨＰＦとの混合物はＨＧＰ構成要素１００の内側部分１３２を実質的に冷却し得、冷却チャネル１４２を通って前端１２０または後端１２２に向かって流れてから、冷却チャネル１４２の排出孔１４４を介してＨＧＰ構成要素から排出され得る。
【００７０】
ＨＧＰ構成要素１００を通って流れるＬＰＦと同時におよび／または独立して、ＨＰＦは、領域５０から、支持体１０２に形成された高圧供給導管１０６を通って流れてもよい（図１０を参照）。高圧供給導管１０６は、ＨＧＰ構成要素１００の前端１２０を通して形成された高圧流体チャネル１６０の開口１６２と直接流体連通してもよい。ＨＰＦは、高圧流体チャネル１６０に提供されると、中間部分１３６を通して形成された複数のベンチュリ１４８を通って流れてもよい。ノズル１４６の区画（例えば、区画１５０、図６を参照）がベンチュリ１４８内に延在する非限定的な例では、ノズル１４６はベンチュリ１４８を通してＨＰＦを導いてもよい。さらに、ノズル１４６がベンチュリ１４８と半径方向に整列され、および／またはそれと同心である場合、ＨＰＦはベンチュリ１４８に直接流入し得、ＬＰＦと混合し得る。高圧流体チャネル１６０および／またはベンチュリ１４８を通って流れるＨＰＦは、ノズル１４６からベンチュリ１４８を通って流れるＬＰＦを実質的に活性化するか、その速度を増加させてもよい。ＬＰＦと同様に、ＨＰＦは、ベンチュリ１４８を通って流れ得、中間部分１３６のディフューザ１５２によって拡散され得、ＨＧＰ構成要素１００の冷却チャネル１４２に流れ得る。冷却チャネル１４２内に入ると、ＨＰＦは、ＬＰＦとともに、ＨＧＰ構成要素１００の内側部分１３２を実質的に冷却し得、冷却チャネル１４２を通って前端１２０または後端１２２に向かって流れてから、冷却チャネル１４２の排出孔１４４および１４５を介してＨＧＰ構成要素から排出され得る（図１１を参照）。
【００７１】
図１２および図１３は、ＨＧＰ構成要素１００および支持体１０２を含むタービン２８の別の非限定的な例の様々な図を示している。具体的には、図１２は、支持体１０２に結合されたＨＧＰ構成要素１００を含むガスタービンシステム１０（図１を参照）のタービン２８の一部の非限定的な例の拡大側面図を示し、図１３は、図１２に示すＨＧＰ構成要素１００の別の非限定的な例の断面側面図を示す。同様の符号および／または名称を付した構成要素は、実質的に同様の様式で機能し得ることが理解される。これらの構成要素の冗長な説明は、明確化のために省略されている。
【００７２】
図７に示す非限定的な例と同様に、図１２の非限定的な例に示す支持体１０２は、内部圧力チャンバ（例えば、高圧流体チャンバ１０４、低圧流体チャンバ１６４）を含まなくてもよい。したがって、図７および図８と同様に、ＨＧＰ構成要素１００は、ＨＧＰ構成要素１００の外側部分１３４の半径方向外向き、半径方向に隣接して、および／または半径方向上方に形成された上部プレート１５９を含んでもよい。上部プレート１５９は、図１２に示すように、支持体１０２の一部から半径方向内向きに配置され得、および／または支持体１０２の一部に実質的に接触または当接し得る。
【００７３】
ただし、図１２および図１３に示す非限定的な例は、本明細書で説明するＨＧＰ構成要素１００および／または支持体１０２の他の非限定的な例（例えば、図７および図８）とは異なる構成を有するＨＧＰ構成要素１００および／または支持体１０２を含む。例えば、支持体１０２は、高圧供給導管１０６および低圧供給導管１０８を含むが、各供給導管１０６、１０８は、支持体１０２を通して別個の領域に形成され得、および／またはＨＧＰ構成要素１００の、図７および図８に関して本明細書で説明する非限定的な例とは異なる部分に流体結合され得る。具体的には、支持体１０２は、その中に形成された単一の高圧供給導管１０６を含んでもよい。高圧供給導管１０６は、支持体１０２を通って、ＨＧＰ構成要素１００の隣接する前端１２０まで延在してもよい。高圧供給導管１０６は、それぞれＨＧＰ構成要素１００および領域５０と直接流体連通および／または直接流体結合して、ガスタービンシステム１０（図１を参照）の動作中に領域５０からＨＧＰ構成要素１００にＨＰＦを提供してもよい。非限定的な例では、高圧供給導管１０６は、ＨＧＰ構成要素１００の前端１２０を通して形成された開口１６２（図１３を参照）を介して高圧流体チャネル１６０と流体結合および／または直接流体連通してもよい。図１２および図１３に示すように、また図１０および図１１に示す非限定的な例と同様に、高圧流体チャネル１６０は、ＨＧＰ構成要素１００の本体１１０の外側部分１３４と中間部分１３６との間に形成され、および／またはそれらによって画定されてもよい。中間部分１３６を通して形成されたか、それを通って延在する複数のベンチュリ１４８のそれぞれは、高圧流体チャネル１６０と流体結合および／または直接流体連通してもよく、ＨＧＰ構成要素１００を冷却する際にＨＰＦを受け取ってもよい。すなわち、ＨＰＦは、高圧供給導管１０６から高圧流体チャネル１６０に直接流れ、続いて、中間部分１３６を通って延在する複数のベンチュリ１４８を通って流れてもよい。図１０および図１１に関して本明細書で同様に説明するように、複数のベンチュリ１４８を通って流れるＨＰＦは、複数のノズル１４６によって提供されるＬＰＦと混合して冷却チャネル１４２に入ってから、ＨＧＰ構成要素１００から排出されてもよい。
【００７４】
さらに、図１２の非限定的な例に示すように、支持体１０２は、複数の低圧供給導管１０８を含んでもよい。複数の低圧供給導管１０８は、支持体１０２を通って、ＨＧＰ構成要素１００のそれぞれ前端１２０および後端１２２に向かって延在してもよい。さらに、複数の低圧供給導管１０８のそれぞれは、ＨＧＰ構成要素１００と直接流体連通および／または直接流体結合してもよい。すなわち、支持体１０２の複数の低圧供給導管１０８のそれぞれは、領域５０、および開口１４０（図１３を参照）を介してＨＧＰ構成要素１００の低圧流体チャネル１３８と流体連通および／または流体結合してもよい。図１２および図１３に示すように、低圧流体チャネル１３８は、ＨＧＰ構成要素１００の本体１１０の外側部分１３４と上部プレート１５９との間に形成され、および／またはそれらによって画定されてもよい。外側部分１３４を通して形成されたか、それを通って延在する複数のノズル１４６のそれぞれは、低圧流体チャネル１３８と流体結合および／または直接流体連通してもよく、ＨＧＰ構成要素１００を冷却する際にＬＰＦを受け取ってもよい。すなわち、ＬＰＦは、複数の低圧供給導管１０８のそれぞれから低圧流体チャネル１３８に直接流れ、続いて、外側部分１３４を通って延在する複数のノズル１４６を通って流れてもよい。複数のノズル１４６から、また図１０および図１１に関して本明細書で同様に説明するように、複数のノズル１４６を通って流れるＬＰＦは、複数のベンチュリ１４８に流入してもよく、ＨＰＦと混合してから、冷却チャネル１４２に流入し、ＨＧＰ構成要素１００から排出されてもよい。
【００７５】
図１４および図１５は、ガスタービンシステム１０のタービン２８に含まれるＨＧＰ構成要素２００の別の非限定的な例の追加の図を示す。具体的には、図１４は、２段のタービンブレード３８と、タービン２８のケーシング３６内に配置されたＨＧＰ構成要素２００Ａ、２００Ｂを含むステータベーン４０の段とを含むタービン２８の一部の側面図を示し、図１５は、ＨＧＰ構成要素２００Ａおよび支持体２０２を含むタービン２８の拡大部分を示す。同様の符号および／または名称を付した構成要素は、実質的に同様の様式で機能し得ることが理解される。これらの構成要素の冗長な説明は、明確化のために省略されている。
【００７６】
図１４および図１５に示す非限定的な例では、図２に関して本明細書で説明するように、ＨＧＰ構成要素２００Ａ、２００Ｂは、ステータベーン４０のそれぞれ外側プラットフォームおよび内側プラットフォームとして形成されてもよく、ステータベーン４０の翼形部４２に結合および／または固定されてもよい。さらに、本明細書で説明するように、支持体２０２は、タービン２８のケーシング３６から半径方向内向きに延在してもよく、ステータベーン４０のＨＧＰ構成要素２００Ａ（例えば、外側プラットフォーム）に結合されるか、および／またはそれを受け入れて、ケーシング３６におよび／またはケーシング３６内にステータベーン４０を結合、配置および／または固定するように構成されてもよい。図１４および図１５に示すこの非限定的な例では、また、本明細書で説明するＨＧＰ構成要素１００およびタービンシュラウド（図２〜図１３を参照）と同様に、ＨＧＰ構成要素２００Ａとステータベーン４０の外側プラットフォームとは交換可能に使用されてもよく、ＨＧＰ構成要素２００Ｂと内側プラットフォームとは交換可能に使用されてもよい。
【００７７】
図１４および図１５に示すように、ＨＧＰ構成要素２００Ａ、２００Ｂおよび支持体２０２は、タービン２８内を流れる高圧流体（ＨＰＦ）および低圧流体（ＬＰＦ）に取り囲まれてもよい。具体的には、ＨＧＰ構成要素２００Ａおよび支持体２０２の上流に配置された領域５２はＬＰＦを含んでもよく、ＨＧＰ構成要素２００Ａおよび支持体２０２の下流に配置された領域５０はＨＰＦを含んでもよい。さらに、ＨＧＰ構成要素２００Ｂの上流に配置された領域５２はＬＰＦを含んでもよく、ＨＧＰ構成要素２００Ｂの下流に配置された領域５０はＨＰＦを含んでもよい。
【００７８】
本明細書で説明するＨＧＰ構成要素１００（例えば、タービンシュラウド）および支持体１０２と同様に、ＨＧＰ構成要素２００Ａおよび支持体２０２は、ＨＰＦおよびＬＰＦを使用してＨＧＰ構成要素２００Ａを冷却することが可能になるように構成され、および／またはそれを行い得る特徴を含んでもよい。例えば、図１５に示すように、支持体２０２は、その中に形成された少なくとも１つの高圧供給導管２０６を含んでもよい。高圧供給導管２０６は、ＨＰＦを収容する領域５０、およびＨＧＰ構成要素２００Ａと流体連通および／または流体結合してもよい。本明細書で説明するように、高圧供給導管２０６は、領域５０を通って流れるＨＰＦを受け取ってもよく、ＨＧＰ構成要素２００ＡにＨＰＦを直接提供してもよい。非限定的な例では、単一の高圧供給導管２０６のみを含むものとして示されているが、支持体２０２は、ＨＧＰ構成要素２００ＡにＨＰＦを提供するための複数の高圧供給導管２０６を含み得ることが理解される。
【００７９】
支持体２０２はまた、少なくとも１つの低圧供給導管２０８を含んでもよい。低圧供給導管２０８は、ＬＰＦを収容する領域５２と流体連通および／または流体結合してもよい。図１５に示し、本明細書で説明するように、低圧供給導管２０８は、ＨＧＰ構成要素２００Ａと流体結合および／または流体連通して、タービンシステム１０（図１を参照）の動作中に領域５２からＨＧＰ構成要素２００ＡにＬＰＦを提供してもよい。
【００８０】
ＨＧＰ構成要素２００Ａ（例えば、外側プラットフォーム）はまた、タービン２８を通って流れるＨＰＦおよびＬＰＦを使用してＨＧＰ構成要素２００Ａを冷却するために使用され得る複数の表面、部分、流体チャネル、ノズルおよびベンチュリを含む本体を含んでもよい。例えば、図１５に示すように、ＨＧＰ構成要素２００Ａは本体２１０を含んでもよい。図１５に示す非限定的な例では、ＨＧＰ構成要素２００Ａは、ＨＧＰ構成要素２００Ａが単一の、連続的な、および／または分離されていない構成要素または部品であるように、単一本体２１０を含み、および／またはそれとして形成され得る。非限定的な例では、ＨＧＰ構成要素２００Ａの単一本体２１０、およびＨＧＰ構成要素２００Ａの様々な構成要素および／または特徴は、本明細書で同様に説明するように、任意の好適な付加製造プロセスおよび／または方法を使用して形成されてもよい。別の非限定的な例では、ＨＧＰ構成要素２００Ａの本体２１０は、本明細書で同様に説明するように、複数のおよび／または別個の部分または構成要素（図示せず）として形成されてもよい（図７および図８を参照）。
【００８１】
ＨＧＰ構成要素２００Ａはまた、ガスタービンシステム１０のタービン２８のタービンケーシング３６を通って流れる燃焼ガス２６の高温ガス流路（ＦＰ）に配置、形成、対向、直接露出され、および／またはそれを部分的に画定する内面２３０を含んでもよい。ＨＧＰ構成要素２００Ａの本体２１０の内面２３０は、ステータベーン４０の翼形部４２に半径方向に隣接して配置されてもよい。燃焼ガス２６の高温ガス流路（ＦＰ）に面することに加えて、本体２１０の内面２３０はまた、ＨＧＰ構成要素２００Ａの前端２２０と後端２２２との間に形成および／または配置されてもよい。
【００８２】
図１５に示すように、ＨＧＰ構成要素２００Ａはまた、内側部分２３２を含んでもよい。内側部分２３２は、ＨＧＰ構成要素２００Ａの（単一）本体２１０の一体部分として形成されてもよい。さらに、内側部分２３２は、内面２３０を含んでもよく、および／または内面２３０は、ＨＧＰ構成要素２００Ａの本体２１０の内側部分２３２上に形成されてもよい。ＨＧＰ構成要素２００Ａの本体２１０の内側部分２３２は、ＨＧＰ構成要素２００Ａの前端２２０と後端２２２との間、および対向する両側面（図示せず）の間に形成され、配置され、および／または延在してもよい。さらに、内側部分２３２は、本体２１０の側面上に形成された中実側壁と一体に形成されてもよい（図示せず）。ＨＧＰ構成要素２００Ａの内側部分２３２はまた、タービンシステム１０のタービン２８の高温ガス流路（ＦＰ）に隣接して配置されてもよい。
【００８３】
ＨＧＰ構成要素２００Ａはまた、内側部分２３２の半径方向反対側に形成された外側部分２３４を含んでもよい。内側部分２３２と同様に、外側部分２３４は、ＨＧＰ構成要素２００Ａの単一本体２１０の一体部分として形成されてもよい。ＨＧＰ構成要素２００Ａの本体２１０の外側部分２３４は、それぞれ、本体２１０の前端２２０と後端２２２との間、および対向する両側面（図示せず）の間に形成され、配置され、および／または延在してもよい。本明細書で説明するように、ＨＧＰ構成要素２００Ａの外側部分２３４は、ＨＧＰ構成要素２００Ａ内の様々な流体チャネルを少なくとも部分的に形成および／または画定してもよい。
【００８４】
図１５の非限定的な例に示すように、ＨＧＰ構成要素２００Ａはまた、中間部分２３６を含んでもよい。中間部分２３６は、ＨＧＰ構成要素２００Ａの単一本体２１０の内側部分２３２と外側部分２３４との間に（半径方向に）形成されてもよい。内側部分２３２および外側部分２３４と同様に、また図１５に示すように、ＨＧＰ構成要素２００Ａの中間部分２３６は、ＨＧＰ構成要素２００Ａの本体２１０の一体部分として形成されてもよい。ＨＧＰ構成要素２００Ａの本体２１０の中間部分２３６は、本体２１０の前端２２０と後端２２２との間、および対向する両側面の間に形成され、配置され、および／または延在してもよく、対向する両側面上に形成された中実側壁と一体に形成されてもよい（図示せず）。
【００８５】
ＨＧＰ構成要素２００Ａはまた、本体２１０の外側部分２３４の半径方向外向き、半径方向に隣接して、および／または半径方向上方に形成された上部プレート２５９を含んでもよい。上部プレート２５９は、支持体２０２の一部から半径方向内向きに配置されてもよく、および／または支持体２０２の一部に実質的に接触または当接してもよい。上部プレート２５９は、それぞれ本体２１０の前端２２０と後端２２２との間、および対向する両側面の間に実質的に形成され、延在し、および／または配置され得る実質的に中実のまたは連続的な（例えば、開口またはベンチュリのない）構成要素から形成されてもよい。非限定的な例では、上部プレート２５９は、ＨＧＰ構成要素２００Ａの外面２２８を形成および／または画定してもよい。
【００８６】
内側部分２３２、外側部分２３４、中間部分２３６および／または上部プレート２５９は、ＨＧＰ構成要素２００Ａ内のチャネルを少なくとも部分的に形成および／または画定してもよい。例えば、中間部分２３６および外側部分２３４は、ＨＧＰ構成要素２００Ａ内に低圧流体チャネル２３８を画定および／または形成してもよい。さらに具体的には、低圧流体チャネル２３８は、ＨＧＰ構成要素２００Ａの単一本体２１０の中間部分２３６と外側部分２３４との間に形成されてもよい。低圧流体チャネル２３８は、単一本体２１０の前端２２０と後端２２２との間、および対向する両側面の間に実質的に延在してもよい。本明細書で説明するように、低圧流体チャネル２３８は、ＨＧＰ構成要素２００Ａを通して形成され、支持体２０２の低圧供給導管２０８と流体連通する開口を介してＬＰＦを受け取ってもよい。
【００８７】
図１５に示す非限定的な例では、中間部分２３６および内側部分２３２はまた、ＨＧＰ構成要素２００Ａ内に冷却チャネル２４２を画定および／または形成してもよい。すなわち、冷却チャネル２４２は、ＨＧＰ構成要素２００Ａの単一本体２１０の中間部分２３６と内側部分２３２との間に形成されてもよい。冷却チャネル２４２は、本体２１０の前端２２０と後端２２２との間、および対向する両側面（図示せず）の間に実質的に延在してもよい。冷却チャネル２４２は、ＨＰＦおよび低圧流体（ＬＰＦ）を受け取って、ガスタービンシステム１０（図１の参照）の動作中にＨＧＰ構成要素２００Ａを冷却し得、続いて、排出孔２４４、２４５を介してＨＧＰ構成要素２００ＡからＨＰＦおよびＬＰＦを吐出または排出し得る。
【００８８】
ＨＧＰ構成要素２００Ａはまた、高圧流体チャネル２６０を含んでもよい。高圧流体チャネル２６０は、外側部分２３４と上部プレート２５９との間に形成されてもよい。すなわち、ＨＧＰ構成要素２００Ａの上部プレート２５９および外側部分２３４は、ＨＧＰ構成要素２００Ａ内に高圧流体チャネル２６０を画定および／または形成してもよい。高圧流体チャネル２６０は、本体２１０の前端２２０と後端２２２との間、および対向する両側面の間に実質的に延在してもよい。高圧流体チャネル２６０は、支持体２０２の高圧供給導管２０６からＨＰＦを受け取り、続いて、高圧流体チャネル２６０にＨＰＦを供給するために、高圧供給導管２０６に流体結合された開口を含んでもよい。別の非限定的な例（図示せず）では、ＨＧＰ構成要素２００Ａは上部プレート２５９を含まなくてもよい。したがって、本明細書で説明するように、高圧流体チャネル２６０は、外側部分２３４と支持体２０２との間に形成されてもよく、ＨＰＦを受け取るための高圧供給導管２０６と直接流体連通してもよい。
【００８９】
さらに、図２〜図９に関して本明細書で説明するＨＧＰ構成要素１００と同様に、ＨＧＰ構成要素２００Ａは、その中に形成された複数のノズル２４６およびベンチュリ２４８を含んでもよい。例えば、ＨＧＰ構成要素２００Ａの外側部分２３４は、その中にまたはそれを通して形成された複数の開口またはノズル２４６（以下、「ノズル２４６」）を含んでもよい。複数のノズル２４６のそれぞれは、ＨＧＰ構成要素２００Ａの単一本体２１０の外側部分２３４を通して形成されてもよい。外側部分２３４を通して形成された複数のノズル２４６は、ＨＧＰ構成要素２００Ａの高圧流体チャネル２６０と流体連通および／または流体結合してもよい。さらに、図１５に示すように、外側部分２３４を通して形成された複数のノズル２４６は、ＨＧＰ構成要素２００Ａの高圧流体チャネル２６０と低圧流体チャネル２３８とを流体結合してもよい。本明細書で説明するように、外側部分２３４を通して形成された複数のノズル２４６のそれぞれは、高圧供給導管２０６および／または高圧流体チャネル２６０からＨＰＦを受け取り、続いて、ＨＧＰ構成要素２００Ａの低圧流体チャネル２３８にＨＰＦを提供するか流してもよい。
【００９０】
また、図１５の非限定的な例に示すように、中間部分２３６は、その中にまたはそれを通して形成された複数の開口またはベンチュリ２４８（以下、「ベンチュリ２４８」）を含んでもよい。複数のベンチュリ２４８のそれぞれは、ＨＧＰ構成要素２００Ａの本体２１０の中間部分２３６を通して形成されてもよい。中間部分２３６を通して形成された複数のベンチュリ２４８は、ＨＧＰ構成要素２００Ａの本体２１０内に形成された低圧流体チャネル２３８および冷却チャネル２４２と流体連通し得、および／または低圧流体チャネル２３８と冷却チャネル２４２とを流体結合し得る。さらに、ベンチュリ２４８は低圧流体チャネル２３８と流体連通しているため、ＨＧＰ構成要素２００Ａのベンチュリ２４８はまた、低圧流体チャネル２３８を通って流れるＬＰＦと流体連通してもよく、および／または低圧流体チャネル２３８にＬＰＦを提供する支持体２０２の低圧供給導管２０８と流体連通してもよい。本明細書で説明するように、中間部分２３６を通して形成された複数のベンチュリ２４８のそれぞれは、低圧流体チャネル２３８からＬＰＦを受け取り、続いて、冷却チャネル２４２にＬＰＦを提供するか流してもよい。さらに、本明細書で説明するように、複数のベンチュリ２４８のそれぞれは、複数のノズル２４６を介して低圧流体チャネル２３８を通って流れるＨＰＦを受け取り、続いて、冷却チャネル２４２にＨＰＦを提供するか流してもよい。
【００９１】
ＨＧＰ構成要素２００Ａ内に形成された複数のノズル２４６およびベンチュリ２４８は、図５および図６に関して本明細書で説明したＨＧＰ構成要素１００の複数のノズル１４６およびベンチュリ１４８と実質的に同様の特徴を含んでもよい。例えば、図１５に示すように、ＨＧＰ構成要素２００Ａの外側部分２３４に形成された複数のノズル２４６および中間部分２３６に形成された複数のベンチュリ２４８は、半径方向および／または同心に整列されてもよい。すなわち、複数のノズル２４６のそれぞれは、対応するベンチュリ２４８と整列され、および／または実質的に同心であってよい。さらに、ノズル２４６は、第１の寸法、例えば、ベンチュリ２４８のスロート（例えば、図６を参照）における各ベンチュリ２４８の第２の寸法または直径よりも小さい、スロートにおける第１の直径（例えば、図６を参照）を含んでもよい。さらに、各ベンチュリ２４８はまた、ノズル２４６の第１の寸法または直径およびベンチュリ２４８の第２の寸法または直径よりも大きくてよい第３の寸法または直径（例えば、図６を参照）を有するディフューザ（例えば、図６を参照）を含んでもよい。本明細書で同様に説明するように、ＨＧＰ構成要素２００Ａのノズル２４６およびベンチュリ２４８の様々な特徴は、ＨＰＦおよびＬＰＦの混合を支援し、続いて、ガスタービンシステム１０のタービン２８の動作中にＬＰＦに実質的にエネルギーを与えるか、その速度を増加させてＨＧＰ構成要素２００Ａを冷却してもよい。
【００９２】
ステータベーン４０の内側プラットフォームとして形成されたＨＧＰ構成要素２００Ｂは、図１４および図１５に関して本明細書で説明したＨＧＰ構成要素２００Ａと同様の特徴を含んでもよいことが理解される。さらに具体的には、ステータベーン４０のＨＧＰ構成要素２００Ｂは、ＨＧＰ構成要素２００Ａのものと実質的に同一であり得る複数の表面、部分、流体チャネル、ノズルおよびベンチュリを含む本体を含んでもよい。ただし、ＨＧＰ構成要素２００Ａとは異なり、ＨＧＰ構成要素２００Ｂは、タービン２８のロータ３０に隣接して配置された領域５２と直接流体連通する低圧流体チャネル（例えば、低圧流体チャネル２３８）と、ロータ３０に隣接して配置された領域５０と直接流体連通する高圧流体チャネル（例えば、高圧流体チャネル２６０）とを含んでもよい。本明細書で同様に説明するように、領域５２はＬＰＦを含んでもよく、領域５０はＨＰＦを含んでもよく、これらはタービン２８の動作中にＨＧＰ構成要素２００Ｂを冷却するために使用されてもよい。別の非限定的な例（図示せず）では、ＨＰＦおよびＬＰＦは、ケーシング３６に隣接して配置された領域５０、５２から供給され、続いて、翼形部４６を通して形成された導管を介してＨＧＰ構成要素２００Ｂに供給されてもよい。
【００９３】
図１０〜図１３に関して本明細書に示し説明する非限定的な例と同様に、ＨＧＰ構成要素２００Ａ、２００Ｂの特徴および／または構成要素は、別個の部分に配置され、および／または図１５に示す非限定的な例とは異なるように構成されてもよい。例えば、低圧供給導管２０８と流体連通する低圧流体チャネル２３８は、上部プレート２５９と複数のノズル２４６を含む外側プレート２３４との間に形成、配置および／または画定されてもよい。さらに、高圧供給導管２０６と流体連通する高圧流体チャネル２６０は、外側プレート２３４と複数のベンチュリ２４８を含む中間プレート２３６との間に形成、配置および／または画定されてもよい。図１２および図１３に関して本明細書で同様に説明するように、ＨＧＰ構成要素２００Ａ、２００Ｂの複数のノズル２４６を通って流れるＬＰＦは、複数のベンチュリ２４８を通って流れるＨＰＦに流入し、それと混合してから、冷却チャネル２４２に流入し、ＨＧＰ構成要素２００Ａ、２００Ｂから排出されてもよい。
【００９４】
図１６および図１７は、ガスタービンシステム１０のタービン２８に含まれるＨＧＰ構成要素の別の非限定的な例の追加の図を示す。具体的には、図１６は、ＨＧＰ構成要素３００Ａを含むタービンブレード３８の段と、ＨＧＰ構成要素３００Ｂを含むステータベーン４０の段とを含むタービン２８の一部の側面図を示し、図１７は、図１６の線ＣＳ−ＣＳに沿ったＨＧＰ構成要素３００Ａおよび／または３００Ｂの上面断面図を示す。非限定的な例では、ＨＧＰ構成要素３００Ａは、タービンブレード３８の翼形部４６として形成されてもよく、ＨＧＰ構成要素３００Ｂは、ステータベーン４０の翼形部４２として形成されてもよい。図１６および図１７に関して本明細書で説明するように、タービンブレード３８のＨＧＰ構成要素３００Ａおよび翼形部４６は交換可能に使用されてもよく、ステータベーン４０のＨＧＰ構成要素３００Ｂおよび翼形部４２は交換可能に使用されてもよい。図１６に示すタービン２８の部分の非限定的な例は、図２に関して本明細書に示し説明するタービン２８の部分と実質的に同様であってよい。同様の符号および／または名称を付した構成要素は、実質的に同様の様式で機能し得ることが理解される。これらの構成要素の冗長な説明は、明確化のために省略されている。
【００９５】
引き続き図１６を参照して図１７を見ると、ＨＧＰ構成要素３００Ａ、３００Ｂの様々な特徴が本明細書で説明されている。タービンブレード３８の翼形部４６として形成されたＨＧＰ構成要素３００Ａと、ステータベーン４０の翼形部４２として形成されたＨＧＰ構成要素３００Ｂとは、実質的に同様の特徴を含み得ることが理解される。さらに、ガスタービンシステム１０（図１を参照）のタービン２８は、動作中に使用されるＨＧＰ構成要素３００Ａおよび／またはＨＧＰ構成要素３００Ｂを含み得ることが理解される。
【００９６】
ＨＧＰ構成要素３００Ａ、３００Ｂは、本体３０２を含んでもよい。図１７に示す非限定的な例では、ＨＧＰ構成要素３００Ａ、３００Ｂと、ＨＧＰ構成要素３００Ａ、３００Ｂの様々な構成要素および／または特徴とは、ＨＧＰ構成要素３００Ａ、３００Ｂが単一の、連続的な、および／または分離されていない構成要素または部品であるように、単一本体３０２を含み、および／またはそれとして形成されてもよい。ＨＧＰ構成要素３００Ａ、３００Ｂが単一本体を含む非限定的な例では、ＨＧＰ構成要素３００Ａ、３００Ｂは、ＨＧＰ構成要素３００Ａ、３００Ｂを完全に形成するために様々な部品の構築、接合、結合および／または組み立てを必要としなくてもよく、および／またはＨＧＰ構成要素３００Ａ、３００Ｂがタービンシステム１０（図１を参照）内に設置および／または実装され得る前に、様々な部品の構築、接合、結合および／または組み立てを必要としなくてもよい。むしろ、本明細書で説明するように、ＨＧＰ構成要素３００Ａ、３００Ｂの単一の、連続的な、および／または分離されていない単一本体３０２が構築されると、ＨＧＰ構成要素３００Ａ、３００Ｂはタービンシステム１０内に直ちに設置され得る。
【００９７】
非限定的な例では、ＨＧＰ構成要素３００Ａ、３００Ｂの単一本体３０２と、ＨＧＰ構成要素３００Ａ、３００Ｂの様々な構成要素および／または特徴とは、任意の好適な付加製造プロセスおよび／または方法を使用して形成されてもよい。例えば、単一本体３０２を含むＨＧＰ構成要素３００Ａ、３００Ｂは、直接金属レーザ溶融（ＤＭＬＭ）（選択的レーザ溶融（ＳＬＭ）とも呼ばれる）、直接金属レーザ焼結（ＤＭＬＳ）、電子ビーム溶融（ＥＢＭ）、ステレオリソグラフィ（ＳＬＡ）、バインダ噴射または任意の他の好適な付加製造プロセスによって形成されてもよい。さらに、ＨＧＰ構成要素３００Ａ、３００Ｂの単一本体３０２は、ＨＧＰ構成要素３００Ａ、３００Ｂを形成するために付加製造プロセスによって利用され得る、および／または動作中にガスタービンシステム１０内のＨＧＰ構成要素３００Ａ、３００Ｂが経験する動作特性（例えば、曝露温度、曝露圧力など）に耐えることが可能であり得る任意の材料から形成されてもよい。
【００９８】
別の非限定的な例では、ＨＧＰ構成要素３００Ａ、３００Ｂの本体３０２は、複数のおよび／または別個の部分または部品として形成されてもよい（図１７を参照）。例えば、本明細書で説明するように、ＨＧＰ構成要素３００Ａ、３００Ｂの本体３０２は、外壁を含み得る第１の部分、およびＨＧＰ構成要素３００Ａ、３００Ｂを形成する追加の部分または壁を含み得る少なくとも１つの別個の部分から形成されてもよい。ＨＧＰ構成要素３００Ａ、３００Ｂの本体３０２を形成する別個の部品は、ガスタービンシステム１０内のタービン２８に設置される前に、互いに接合、結合および／または固定されてＨＧＰ構成要素３００Ａ、３００Ｂを形成してもよい。本体３０２を形成する各部分、およびＨＧＰ構成要素３００Ａ、３００Ｂの様々な構成要素および／または特徴は、任意の好適な製造プロセスおよび／または方法を使用して形成されてもよい。例えば、別個の部品を含む本体３０２は、フライス加工、旋削加工、切削加工、鋳造、成形、穿孔などによって形成されてもよい。
【００９９】
ＨＧＰ構成要素３００Ａ、３００Ｂはまた、様々な縁部および側面を含んでもよい。例えば、図１７に示すように、ＨＧＰ構成要素３００Ａ、３００Ｂの本体３０２は、前縁３０４と、前縁３０４の反対側に形成された後縁３０６とを含んでもよい。さらに、ＨＧＰ構成要素３００Ａ、３００Ｂの本体３０２は、正圧面３０８と、正圧面３０８の反対側に配置された負圧面３１０とを含んでもよい。ＨＧＰ構成要素３００Ａ、３００Ｂの正圧面３０８および負圧面３１０はともに、本体３０２の前縁３０４と後縁３０６との間に延在してもよい。本明細書で説明するように、動作中、燃焼ガス２６（図１６を参照）は、前縁３０４から後縁３０６に流れ、それぞれ正圧面３０８および負圧面３１０を越えて、ロータ３０を駆動および／または回転させてもよい。
【０１００】
図１７に示すように、ＨＧＰ構成要素３００Ａ、３００Ｂの本体３０２はまた、複数の別個の壁を含んでもよい。例えば、ＨＧＰ構成要素３００Ａ、３００Ｂの本体３０２は、内壁３１２と、中間壁３１８と、前縁３０４に隣接して形成された外壁３２０とを含んでもよい。内壁３１２は、ＨＧＰ構成要素３００Ａ、３００Ｂを通って半径方向に延在してもよい。ＨＧＰ構成要素３００Ａ、３００Ｂが翼形部４２、４６として形成される非限定的な例では、内壁３１２は、タービンブレード３８のプラットフォーム４７と先端部分４８との間の翼形部４６の部分を通って、および／またはステータベーン４０の外側プラットフォーム２００Ａと内側プラットフォーム２００Ｂとの間の翼形部４２の（半径方向）部分を通って半径方向に延在してもよい。内壁３１２は、実質的に開いた円筒として形成および／または成形されてもよい。すなわち、図１７に示すように、本体３０２の内壁３１２は、開口を含んでもよく、および／またはＨＧＰ構成要素３００Ａ、３００Ｂに形成された高圧流体チャンバ３２２を取り囲み、画定してもよい。内壁３１２と同様に、高圧流体チャンバ３２２は、ＨＧＰ構成要素３００Ａ、３００Ｂを通って半径方向に延在してもよい。図１７に示す非限定的な例では、内壁３１２によって画定された高圧流体チャンバ３２２は、タービンブレード３８のプラットフォーム４７と先端部分４８との間の翼形部４６の一部を通って半径方向に延在し、および／またはそれに形成され、および／またはステータベーン４０の外側プラットフォーム２００Ａと内側プラットフォーム２００Ｂとの間の翼形部４２の一部を通って半径方向に延在し、および／またはそれに形成されてもよい。本明細書で説明するように、高圧流体チャンバ３２２は、タービン２８の一部（例えば、領域５０、図１６）を通って流れる高圧流体（ＨＰＦ）を受け取ってもよく、続いて、本体３０２の様々な壁３１２、３１８、３２０を通してＨＰＦを流すか導いて、タービン２８の動作中にＨＧＰ構成要素３００Ａ、３００Ｂを冷却してもよい。
【０１０１】
ＨＧＰ構成要素３００Ａ、３００Ｂの本体３０２はまた、中間壁３１８を含んでもよい。中間壁３１８は、ＨＧＰ構成要素３００Ａ、３００Ｂを通って半径方向に延在してもよい。ＨＧＰ構成要素３００Ａ、３００Ｂが翼形部４２、４６として形成される非限定的な例では、中間壁３１８は、タービンブレード３８のプラットフォーム４７と先端部分４８との間の翼形部４６の部分を通って、および／またはステータベーン４０の外側プラットフォーム２００Ａと内側プラットフォーム２００Ｂとの間の翼形部４２の（半径方向）部分を通って半径方向に延在してもよい。さらに、図１７に示すように、中間壁３１８は、ＨＧＰ構成要素３００Ａ、３００Ｂの本体３０２の内壁３１２に隣接して配置され、それから分離されてもよく、および／またはそれを実質的に取り囲んでもよい。すなわち、中間壁３１８はまた、実質的に開いた円筒として形成および／または成形されてもよく、内壁３１２を実質的に取り囲むか包囲してもよい。その結果、図１７の非限定的な例に示すように、中間壁３１８は、ＨＧＰ構成要素３００Ａ、３００Ｂに形成された低圧流体チャンバ３２４を取り囲んでもよく、内壁３１２とともに画定してもよい。高圧流体チャンバ３２２と同様に、低圧流体チャンバ３２４は、ＨＧＰ構成要素３００Ａ、３００Ｂを通って半径方向に延在してもよい。非限定的な例では、中間壁３１８と内壁３１２とによって画定され、および／またはそれらの間に形成された低圧流体チャンバ３２４は、タービンブレード３８のプラットフォーム４７と先端部分４８との間の翼形部４６の一部を通って半径方向に延在し、および／またはそれに形成され、および／またはステータベーン４０の外側プラットフォーム２００Ａと内側プラットフォーム２００Ｂとの間の翼形部４２の一部を通って半径方向に延在し、および／またはそれに形成されてもよい。さらに、低圧流体チャンバ３２４は、ＨＧＰ構成要素３００Ａ、３００Ｂの高圧流体チャンバ３２２に隣接して配置され、および／またはそれに実質的に平行に延在してもよい。本明細書で説明するように、低圧流体チャンバ３２４は、タービン２８の一部（例えば、領域５２、図１６）を通って流れる低圧流体（ＬＰＦ）を受け取ってもよく、続いて、本体３０２の様々な壁３１８、３２０を通してＬＰＦを流すか導いて、タービン２８の動作中にＨＧＰ構成要素３００Ａ、３００Ｂを冷却してもよい。
【０１０２】
さらに、図１７に示す非限定的な例では、ＨＧＰ構成要素３００Ａ、３００Ｂの本体３０２は、外壁３２０を含んでもよい。外壁３２０は、ＨＧＰ構成要素３００Ａ、３００Ｂの本体３０２の露出表面または外面３２６を形成してもよい。ＨＧＰ構成要素３００Ａ、３００Ｂが翼形部４２、４６として形成される場合、外壁３２０は、タービンブレード３８のプラットフォーム４７と先端部分４８との間に延在してもよく、および／またはステータベーン４０の外側プラットフォーム２００Ａと内側プラットフォーム２００Ｂとの間に延在してもよい。さらに、非限定的な例では、翼形部４２、４６（例えば、ＨＧＰ構成要素３００Ａ、３００Ｂ）の外壁３２０は、タービン２８（図１６を参照）の動作中に露出され、および／または燃焼ガス２６と接触し得る外面３２６を含んでもよい。図１７に示すように、外壁３２０は、ＨＧＰ構成要素３００Ａ、３００Ｂの本体３０２のそれぞれ内壁３１２および中間壁３１８に隣接して配置され、それらから分離されてもよく、および／またはそれらを実質的に取り囲んでもよい。すなわち、外壁３２０はまた、実質的に開いた円筒として形成および／または成形されてもよく、中間壁３１８、さらには内壁３１２も実質的に取り囲むか包囲してもよい。その結果、図１７の非限定的な例に示すように、外壁３２０は、ＨＧＰ構成要素３００Ａ、３００Ｂに形成された冷却チャネル３２８を取り囲んでもよく、中間壁３１８とともにそれを画定してもよい。本明細書で説明した流体チャンバ３２２、３２４と同様に、冷却チャネル３２８は、ＨＧＰ構成要素３００Ａ、３００Ｂを通って半径方向に延在してもよい。非限定的な例では、中間壁３１８と外壁３２０とによって画定され、および／またはそれらの間に形成された冷却チャネル３２８は、タービンブレード３８のプラットフォーム４７と先端部分４８との間の翼形部４６の一部を通って半径方向に延在し、および／またはそれに形成され、および／またはステータベーン４０の外側プラットフォーム２００Ａと内側プラットフォーム２００Ｂとの間の翼形部４２の一部を通って半径方向に延在し、および／またはそれに形成されてもよい。さらに、冷却チャネル３２８は、ＨＧＰ構成要素３００Ａ、３００Ｂのそれぞれ高圧流体チャンバ３２２および低圧流体チャンバ３２４に隣接して配置され、および／またはそれらに実質的に平行に延在してもよい。冷却チャネル３２８はまた、ＨＧＰ構成要素３００Ａ、３００Ｂの外壁３２０に含まれる外面３２６に隣接し、その反対側の本体３０２を通って半径方向に延在してもよい。本明細書で説明するように、冷却チャネル３２８は、本体３０２の様々な壁３１２、３１８を通って流れるＨＰＦおよびＬＰＦを受け取って、タービン２８の動作中にＨＧＰ構成要素３００Ａ、３００Ｂ、さらに具体的には外壁３２０を冷却してもよい。
【０１０３】
図１７に示す非限定的な例では、本体３０２の様々な壁３１２、３１８、３２０は、本体３０２が単一本体であるように互いに一体に形成されてもよい。すなわち、本明細書で説明するように、本体３０２の内壁３１２、中間壁３１８および外壁３２０は、互いに一体に形成されてもよく、および／または単一の、連続的な、および／または分離されていない構成要素または部品として形成されてもよい。本明細書で同様に説明するように、内壁３１２、中間壁３１８および外壁３２０を含むＨＧＰ構成要素３００Ａ、３００Ｂの単一本体３０２は、任意の好適な付加製造プロセスおよび／または方法を使用して形成されてもよい。本明細書で説明する他の非限定的な例（図１７を参照）では、本体３０２の内壁３１２、中間壁３１８および／または外壁３２０は、別個の部品から形成されてもよく、ＨＧＰ構成要素３００Ａ、３００Ｂがタービン２８内に含まれる前に組み立ておよび／または接合されてもよい。
【０１０４】
ＨＧＰ構成要素３００Ａ、３００Ｂの様々な部分（例えば、チャンバ３２２、３２４、冷却チャネル３２８）内にＨＰＦおよびＬＰＦを提供して構成要素を冷却するために、ＨＧＰ構成要素３００Ａ、３００Ｂはまた、その中に形成された複数および／または一連の開口を含んでもよい。例えば、ＨＧＰ構成要素３００Ａ、３００Ｂの内壁３１２および中間壁３１８は、それぞれ、複数および／または一連の開口、ノズルおよび／またはベンチュリを含んでもよい。引き続き図１７を参照して図１８を見ると、内壁３１２は、その中にまたはそれを通して形成された複数の高圧開口またはノズル３３０（以下、「高圧ノズル３３０」）を含んでもよい。複数の高圧ノズル３３０のそれぞれは、ＨＧＰ構成要素３００Ａ、３００Ｂの本体３０２の内壁３１２を通して形成されてもよい。内壁３１２を通して形成されたか、それを通って延在する複数の高圧ノズル３３０は、高圧流体チャンバ３２２と流体連通および／または流体結合してもよい。さらに、図１７および図１８に示すように、内壁３１２を通して形成された複数の高圧ノズル３３０は、内壁３１２と中間壁３１８との間に形成された低圧流体チャンバ３２４と流体結合および／または流体連通してもよい。したがって、複数の高圧ノズル３３０は、ＨＧＰ構成要素３００Ａ、３００Ｂの高圧流体チャンバ３２２と低圧流体チャンバ３２４とを流体結合してもよい。本明細書で説明するように、内壁３１２を通して形成された複数の高圧ノズル３３０のそれぞれは、高圧流体チャンバ３２２からＨＰＦを受け取り、続いて、ＨＧＰ構成要素３００Ａ、３００Ｂの低圧流体チャンバ３２４にＨＰＦを提供するか流してもよい。
【０１０５】
また、図１７および図１８の非限定的な例に示すように、中間壁３１８は、その中にまたはそれを通して形成された複数の低圧開口またはベンチュリ３３２（以下、「低圧ベンチュリ３３２」）を含んでもよい。複数の低圧ベンチュリ３３２のそれぞれは、ＨＧＰ構成要素３００Ａ、３００Ｂの本体３０２の中間壁３１８を通して形成されるか、それを通って延在してもよい。中間壁３１８を通して形成されたか、それを通って延在する複数の低圧ベンチュリ３３２は、ＨＧＰ構成要素３００Ａ、３００Ｂの本体３０２内に形成された低圧流体チャンバ３２４および冷却チャネル３２８と流体連通し得、および／または低圧流体チャンバ３２４と冷却チャネル３２８とを流体結合し得る。本明細書で説明するように、中間壁３１８を通して形成された複数の低圧ベンチュリ３３２のそれぞれは、低圧流体チャンバ３２４からＬＰＦを受け取り、続いて、冷却チャネル３２８にＬＰＦを提供するか流してもよい。さらに、本明細書で説明するように、複数の低圧ベンチュリ３３２のそれぞれは、複数の高圧ノズル３３０を介して低圧流体チャンバ３２４を通って流れる高圧流体（ＨＰＦ）を受け取り、続いて、冷却チャネル３２８にＨＰＦを提供するか流してもよい。
【０１０６】
図１７および図１８に示す非限定的な例では、ＨＧＰ構成要素３００Ａ、３００Ｂの内壁３１２に形成された複数の高圧ノズル３３０および中間壁３１８に形成された複数の低圧ベンチュリ３３２は（同心に）整列されてもよい。すなわち、複数の高圧ノズル３３０のそれぞれは、対応する低圧ベンチュリ３３２と整列され、および／または実質的に同心であってよい。さらに、図１８の非限定的な例に示すように、内壁３１２に形成された複数の高圧ノズル３３０のそれぞれは、中間壁３１８に形成された対応する低圧ベンチュリ３３２内に延在する区画３３４を含んでもよい。具体的には、高圧ノズル３３０の区画３３４は、ＨＧＰ構成要素３００Ａ、３００Ｂの同心に整列された対応する低圧ベンチュリ３３２内に延在し得、および／または部分的に配置され、および／またはそれに取り囲まれ得る。本明細書で説明するように、各高圧ノズル３３０の区画３３４は、対応する低圧ベンチュリ３３２内に延在して、低圧ベンチュリ３３２を通してＨＰＦを導いてもよい。さらに、または代替として、各高圧ノズル３３０の区画３３４は、対応する低圧ベンチュリ３３２内に延在して、低圧流体チャンバ３２４を通って流れる低圧流体（ＬＰＦ）を低圧ベンチュリ３３２に導き、および／またはＬＰＦが高圧ノズル３３０および／または内壁３１２を通って流れるのを防止してもよい。
【０１０７】
図１８に示すように、複数の高圧ノズル３３０のそれぞれは、異なるサイズであってよく、および／または複数の低圧ベンチュリ３３２とは異なる寸法を含んでもよい。すなわち、複数の高圧ノズル３３０の寸法（例えば、直径）は、複数の低圧ベンチュリ３３２の寸法とは異なっていてもよい。非限定的な例では、内壁３１２に形成された複数の高圧ノズル３３０のそれぞれは、ノズル開口または構成のスロートまたはネック（例えば、最も狭い部分、区画３３４）に第１の直径（Ｄ１）を含んでもよい。さらに、中間壁３１８に形成された複数の低圧ベンチュリ３３２のそれぞれは、ベンチュリ開口または構成のスロート（例えば、最も狭い部分）に第２の直径（Ｄ２）を含んでもよい。図１８の非限定的な例に示すように、各低圧ベンチュリ３３２の第２の直径（Ｄ２）は、高圧ノズル３３０の第１の直径（Ｄ１）よりも大きくてよい。非限定的な例では、低圧ベンチュリ３３２の第２の直径は、高圧ノズル３３０の第１の直径（Ｄ１）の少なくとも２倍（例えば、２：１以上の比率）であってよい。他の非限定的な例では、低圧ベンチュリ３３２の第２の直径は、高圧ノズル３３０の第１の直径（Ｄ１）よりもわずかに大きくてよい（例えば、１０％大きい）。本明細書で説明するように、第１の直径（Ｄ１）および第２の直径（Ｄ２）のそれぞれのサイズまたは寸法、ならびに第１の直径（Ｄ１）と第２の直径（Ｄ２）とのサイズの差により、ＨＧＰ構成要素３００Ａ、３００Ｂを通って流れるＨＰＦおよびＬＰＦの速度および／または圧力が改善され得る。
【０１０８】
図１７および図１８に示すように、ＨＧＰ構成要素３００Ａ、３００Ｂ内に形成されたノズル３３０およびベンチュリ３３２のサイズおよび／または数は単なる例示であることが理解される。したがって、ＨＧＰ構成要素３００Ａ、３００Ｂは、さらに大きなまたはさらに小さなノズル３３０およびベンチュリ３３２を含んでもよく、および／またはその中に形成されたさらに多くのまたはさらに少ないノズル３３０およびベンチュリ３３２を含んでもよい。さらに、高圧ノズル３３０および低圧ベンチュリ３３２はともにサイズおよび／または形状が実質的に均一であるように示されているが、ＨＧＰ構成要素３００Ａ、３００Ｂに形成された複数のノズル３３０およびベンチュリ３３２のそれぞれは、別個のサイズおよび／または形状を含んでもよいことが理解される。ＨＧＰ構成要素３００Ａ、３００Ｂに形成されたノズル３３０およびベンチュリ３３２のサイズ、形状および／または数は、動作中のガスタービンシステム１０の様々なパラメータ（例えば、曝露温度、曝露圧力、タービンケーシング３６内の位置、ＨＰＦ動作圧力／温度、ＬＰＦ動作圧力／温度など）に少なくとも部分的に依存し得る。さらに、または代替として、ＨＧＰ構成要素３００Ａ、３００Ｂに形成されたノズル３３０およびベンチュリ３３２のサイズ、形状および／または数は、ＨＧＰ構成要素３００Ａ、３００Ｂの特性（例えば、内壁３１２の厚さ、中間壁３１８の厚さ、チャンバ３２２、３２４の体積、冷却チャネル３２８の体積など）に少なくとも部分的に依存し得る。
【０１０９】
さらに、図１８に示すように、ＨＧＰ構成要素３００Ａ、３００Ｂの本体３０２の中間壁３１８はまた、複数のディフューザ３３６を含んでもよい。複数のディフューザ３３６のそれぞれは、中間壁３１８を通して形成された対応する低圧ベンチュリ３３２と一体に形成されてもよい。すなわち、図１８に示すように、ディフューザ３３６は、各低圧ベンチュリ３３２と一体に形成されてもよく、低圧ベンチュリ３３２、さらに具体的には各低圧ベンチュリ３３２のスロート（例えば、最も狭い部分）に半径方向に隣接して配置されてもよい。ディフューザ３３６はまた、ＨＧＰ構成要素３００Ａ、３００Ｂの本体３０２の外壁３２０に隣接して形成され、および／またはそれに向かって半径方向に延在してもよい。非限定的な例では、ディフューザ３３６は、ディフューザ３３６がＨＧＰ構成要素３００Ａ、３００Ｂの外壁３２０に近づくにつれて大きくまたは広くなる分岐形状、幾何学的形状および／または構成を含んでもよい。非限定的な例では、ディフューザ３３６の最大寸法（例えば、直径）は、外壁３２０に隣接する端部３３８に形成されてもよい。ディフューザ３３６の端部３３８は、高圧ノズル３３０の第１の直径（Ｄ１）および低圧ベンチュリ３３２の第２の直径（Ｄ２）よりも大きくてよい第３の直径（Ｄ３）を含んでもよい。本明細書で説明するように、第１の直径（Ｄ１）および第２の直径（Ｄ２）のそれぞれのサイズまたは寸法に加えて、ＨＧＰ構成要素３００Ａ、３００Ｂの各ディフューザ３３６の第３の寸法（Ｄ３）のサイズにより、ＨＧＰ構成要素３００Ａ、３００Ｂを通って流れるＨＰＦおよびＬＰＦの静圧が上昇し得る。
【０１１０】
図１７に戻ると、ＨＧＰ構成要素３００Ａ、３００Ｂはまた、少なくとも１つの冷却孔３４０、３４２を含んでもよい。さらに具体的には、ＨＧＰ構成要素３００Ａ、３００Ｂの本体３０２は、外壁３２０を通して形成され、および／またはそれを通って延在する冷却孔３４０、３４２を含んでもよい。非限定的な例では、第１の冷却孔３４０は、ＨＧＰ構成要素３００Ａ、３００Ｂの本体３０２の正圧面３０８上の外壁３２０を通って延在してもよく、第２の冷却孔３４２は、負圧面３１０上の外壁３２０を通って延在してもよい。さらに、冷却孔３４０、３４２は、本体３０２の外壁３２０の外面３２６を通して形成されてもよく、および／またはそれを通って延在してもよい。冷却孔３４０、３４２は、冷却チャネル３２８と流体結合および／または流体連通してもよい。本明細書で説明するように、冷却流体（例えば、ＨＰＦ、ＬＰＦ）は、冷却チャネル３２８を通って流れてから、冷却チャネル３２８と流体連通する冷却孔３４０、３４２を介してＨＧＰ構成要素３００Ａ、３００Ｂから排出されてもよい。
【０１１１】
ＨＧＰ構成要素３００Ａ、３００Ｂに形成され、冷却チャネル３２８と流体連通する２つの冷却孔３４０、３４２が示されているが、ＨＧＰ構成要素３００Ａ、３００Ｂ内に形成された冷却孔の数は単なる例示であることが理解される。したがって、ＨＧＰ構成要素３００Ａ、３００Ｂは、動作中にＨＧＰ構成要素３００Ａ、３００Ｂから冷却流体（例えば、ＨＰＦ、ＬＰＦ）を排出するためにその中に形成された多少の冷却孔を含んでもよい。ＨＧＰ構成要素３００Ａ、３００Ｂに形成される冷却孔の数は、動作中のガスタービンシステム１０の様々なパラメータ（例えば、曝露温度、曝露圧力、タービンケーシング３６内の位置／段、ＨＰＦ動作圧力／温度、ＬＰＦ動作圧力／温度など）に少なくとも部分的に依存し得る。さらに、または代替として、ＨＧＰ構成要素３００Ａ、３００Ｂに形成される冷却孔の数は、ＨＧＰ構成要素３００Ａ、３００Ｂの特性（例えば、外壁３２０の厚さ、チャンバ３２２、３２４の体積、冷却チャネル３２８の体積など）に少なくとも部分的に依存し得る。
【０１１２】
図１７および図１８を参照すると、ＨＧＰ構成要素３００Ａ、３００Ｂを通るＨＰＦおよびＬＰＦの流路が本明細書で説明され得る。具体的には、図１７および図１８では、流体の流れ方向が矢印によって表され得、「ＨＰＦ」および「ＬＰＦ」として標識され得る。
【０１１３】
非限定的な例では、ＨＰＦは、領域５０から、タービンブレード３８および／またはステータベーン４０の一部（図１６を参照）を通って、ＨＧＰ構成要素３００Ａ、３００Ｂを通って延在し、および／またはＨＧＰ構成要素３００Ａ、３００Ｂに形成された高圧流体チャンバ３２２に流入してもよい。ＨＰＦは、高圧流体チャンバ３２２から、内壁３１２を通して形成された複数の高圧ノズル３３０を通って流れてもよい。高圧ノズル３３０が、中間壁３１８を通って延在する低圧ベンチュリ３３２と整列され、および／またはそれと同心である非限定的な例では、ＨＰＦは、中間壁３１８を通して形成された低圧ベンチュリ３３２に直接流入し、および／またはそれを通って流れてもよい。ＨＰＦは、同じく低圧ベンチュリ３３２を通って流れるＬＰＦと混合し、ＬＰＦに実質的にエネルギーを与えるか、その速度を増加させてもよい。ＨＰＦは、低圧ベンチュリ３３２を通って流れ得、中間壁３１８のディフューザ３３６によって拡散され得、ＨＧＰ構成要素３００Ａ、３００Ｂの冷却チャネル３２８に流れ得る。冷却チャネル３２８内に入ると、ＨＰＦとＬＰＦとの混合物はＨＧＰ構成要素３００Ａ、３００Ｂの外壁３２０を実質的に冷却し得、ＨＧＰ構成要素３００Ａ、３００Ｂの冷却孔３４０、３４２に向かって冷却チャネル３２８を通って流れ、続いて、ＨＧＰ構成要素３００Ａ、３００Ｂの冷却孔３４０、３４２から排出され得る。
【０１１４】
ＨＧＰ構成要素３００Ａ、３００Ｂを通って流れるＨＰＦと同時におよび／またはそれとは独立して、ＬＰＦはＨＧＰ構成要素３００Ａ、３００Ｂに提供され、それを通って流れてもよい。ＬＰＦは、領域５２から、タービンブレード３８および／またはステータベーン４０の一部（図１６を参照）を通って、ＨＧＰ構成要素３００Ａ、３００Ｂを通って延在し、および／またはＨＧＰ構成要素３００Ａ、３００Ｂに形成された低圧流体チャンバ３２４に流入してもよい。ＬＰＦは、低圧流体チャンバ３２４に提供されると、中間壁３１８を通して形成された複数の低圧ベンチュリ３３２を通って流れてもよい。高圧ノズル３３０の区画３３４（図１８を参照）が低圧ベンチュリ３３２内に延在する非限定的な例では、高圧ノズル３３０の区画３３４は低圧ベンチュリ３３２を通してＬＰＦを導いてもよい。さらに、高圧ノズル３３０が低圧ベンチュリ３３２と整列され、および／またはそれと同心である場合、ＬＰＦは低圧ベンチュリ３３２に直接流入し得、低圧ベンチュリ３３２を流れる際にＨＰＦと混合し、実質的に活性化されるか、速度が増加され得る。ＨＰＦと同様に、ＬＰＦは低圧ベンチュリ３３２を通って流れ得、中間壁３１８のディフューザ３３６によって拡散され得、ＨＧＰ構成要素３００Ａ、３００Ｂの冷却チャネル３２８に流れ得る。冷却チャネル３２８内に入ると、ＬＰＦは、ＨＰＦとともに、ＨＧＰ構成要素３００Ａ、３００Ｂの外壁３２０を実質的に冷却してから、冷却チャネル３２８と流体連通する冷却孔３４０、３４２を介してＨＧＰ構成要素から排出されてもよい（図１７を参照）。
【０１１５】
図１７に示すように、ＨＧＰ構成要素３００Ａ、３００Ｂは、本明細書で説明されるものと同様であり得る追加の特徴および／または部分を含んでもよい。すなわち、ＨＧＰ構成要素３００Ａ、３００Ｂの本体３０２は、後縁３０６に隣接して配置された追加の特徴および／または部分を含んでもよく、それらは前縁３０４に隣接して配置された特徴および／または部分と実質的に同様であり得る。例えば、図１７に示すＨＧＰ構成要素３００Ａ、３００Ｂは、ＨＧＰ構成要素３００Ａ、３００Ｂの本体３０２内の様々なチャンバ３４８、３５０および／またはチャネル３５２を画定し得る後縁３０６に隣接して形成された別個の壁３４４、３４６を含んでもよい。具体的には、ＨＧＰ構成要素３００Ａ、３００Ｂの本体３０２はまた、第２または別個の高圧流体チャンバ３４８を画定する第２または別個の内壁３４４と、低圧流体チャンバ３５０を画定する内壁３４４を取り囲む第２または別個の中間壁３４６と、第２または別個の冷却チャネル３５２を画定する中間壁３４６を取り囲む外壁３２０とを含んでもよい。さらに、図１７に示すように、内壁３１２および中間壁３１８に関して本明細書で同様に説明するように、別個の内壁３４４は、それを通って延在するか、それを通して形成された複数の高圧ノズル３３０を含んでもよく、別個の中間壁３４６は、それを通って延在するか、それを通して形成された複数の低圧ベンチュリ３３２を含んでもよい。同様に名称を付した構成要素または特徴（例えば、内壁３１２および別個の内壁３４４、中間壁３１８および別個の中間壁３４６、高圧流体チャンバ３２２および別個の高圧流体チャンバ３４８など）は、実質的に同様の様式で機能し得ることが理解される。これらの構成要素の冗長な説明は、明確化のために省略されている。
【０１１６】
また、前縁３０４に隣接して配置された特徴および／または部分と実質的に同様に、ＨＧＰ構成要素３００Ａ、３００Ｂは、追加および／または別個の冷却孔３５４、３５６を含んでもよい。冷却孔３４０、３４２と同様に、冷却孔３５４、３５６が外壁３２０を通して形成され、および／またはそれを通って延在してもよい。非限定的な例では、冷却孔３５４は、ＨＧＰ構成要素３００Ａ、３００Ｂの本体３０２の正圧面３０８上の外壁３２０を通って延在してもよく、冷却孔３５６は、負圧面３１０上の外壁３２０を通って延在してもよい。さらに、冷却孔３５４、３５６は、本体３０２の外壁３２０の外面３２６を通して形成されてもよく、および／またはそれを通って延在してもよい。冷却孔３５４、３５６は、冷却チャネル３５２と流体結合および／または流体連通してもよい。冷却孔３４０、３４２に関して本明細書で同様に説明するように、冷却流体（例えば、ＨＰＦ、ＬＰＦ）は、冷却チャネル３５２を通って流れてから、冷却チャネル３５２と流体連通する冷却孔３５４、３５６を介してＨＧＰ構成要素３００Ａ、３００Ｂから排出されてもよい。
【０１１７】
非限定的な例では、ＨＧＰ構成要素３００Ａ、３００Ｂはまた、後縁冷却孔３５８を含んでもよい。後縁冷却孔３５８は、外壁３２０を通して形成されるか、および／またはそれを通って延在してもよい。具体的には、後縁冷却孔３５８は、ＨＧＰ構成要素３００Ａ、３００Ｂの本体３０２の正圧面３０８と負圧面３１０との間の外壁３２０を通って延在し得、ＨＧＰ構成要素３００Ａ、３００Ｂの後縁３０６を通って（またはそれに隣接して）延在し、および／またはそれを通して（またはそれに隣接して）形成され得る。さらに、後縁冷却孔３５８は、本体３０２の外壁３２０の外面３２６を通して形成されてもよく、および／またはそれを通って延在してもよい。後縁冷却孔３５８はまた、冷却チャネル３５２と流体結合および／または流体連通してもよい。冷却孔３５４、３５６と同様に、冷却流体（例えば、ＨＰＦ、ＬＰＦ）は、冷却チャネル３５２を通って流れてから、冷却チャネル３５２と流体連通する後縁冷却孔３５８を介してＨＧＰ構成要素３００Ａ、３００Ｂから排出されてもよい。
【０１１８】
さらに、図１７に示す非限定的な例では、ＨＧＰ構成要素３００Ａ、３００Ｂは、仕切壁３６０を含んでもよい。さらに具体的には、ＨＧＰ構成要素３００Ａ、３００Ｂの本体３０２は、外壁３２０と一体に形成され、および／またはそれに取り囲まれた仕切壁３６０を含んでもよい。図１７に示すように、仕切壁３６０は、ＨＧＰ構成要素３００Ａ、３００Ｂの正圧面３０８と負圧面３１０との間に延在してもよく、および／またはそれらの間に形成されてもよいほか、前縁３０４と後縁３０６との間の本体３０２内に配置または形成されてもよい。仕切壁３６０はまた、ＨＧＰ構成要素３００Ａ、３００Ｂに形成された冷却チャネル３２８と別個の冷却チャネル３５２との間に延在し、それらを分離してもよい。
【０１１９】
ＨＧＰ構成要素３００Ａ、３００Ｂに形成された冷却構成の２つの別個のセット（例えば、内壁、中間壁、高圧流体チャンバ、低圧流体チャンバ、冷却チャネル、冷却孔など）が示されているが、ＨＧＰ構成要素３００Ａ、３００Ｂにそれらを形成する冷却構成および構成要素の数は単なる例示であることが理解される。したがって、ＨＧＰ構成要素３００Ａ、３００Ｂは、多少の冷却構成および／または壁、チャンバ、および／または冷却チャネルを含んでもよい。ＨＧＰ構成要素３００Ａ、３００Ｂに冷却構成を形成する特徴または構成要素の数は、動作中のガスタービンシステム１０の様々なパラメータ（例えば、曝露温度、曝露圧力、タービンケーシング３６内の位置／段、ＨＰＦ動作圧力／温度、ＬＰＦ動作圧力／温度など）に少なくとも部分的に依存し得る。さらに、または代替として、ＨＧＰ構成要素３００Ａ、３００Ｂに冷却構成を形成する特徴または構成要素の数は、ＨＧＰ構成要素３００Ａ、３００Ｂの特性（例えば、外壁３２０の厚さ、チャンバ３２２、３２４、３４８、３５０の体積、冷却チャネル３２８、３５２の体積など）に少なくとも部分的に依存し得る。
【０１２０】
図１９および図２０は、ＨＧＰ構成要素３００Ａ、３００Ｂの追加の非限定的な例の上面断面図を示す。本明細書で説明するように、図１９および図２０に示すＨＧＰ構成要素３００Ａ、３００Ｂの非限定的な例は、タービン２８で利用される場合、追加の特徴および／または構成要素を含んでもよい。同様の符号および／または名称を付した構成要素は、実質的に同様の様式で機能し得ることが理解される。これらの構成要素の冗長な説明は、明確化のために省略されている。
【０１２１】
図１９に示すように、ＨＧＰ構成要素３００Ａ、３００Ｂは、少なくとも１つの支持体３６２を含んでもよい。支持体３６２は、例えば、ＨＧＰ構成要素３００Ａ、３００Ｂの高圧流体チャンバ３２２内に配置されてもよい。支持体３６２は、ＨＧＰ構成要素３００Ａ、３００Ｂに、さらに具体的には、ＨＧＰ構成要素３００Ａ、３００Ｂの本体３０２の少なくとも内壁３１２に、支持、構造および／または剛性を提供してもよい。さらに、支持体３６２はまた、動作中の様々な内部チャンバ３２２、３２４およびチャネル３２８を含むＨＧＰ構成要素３００Ａ、３００Ｂの振動を防止または実質的に低減してもよい。非限定的な例では、支持体３６２は、高圧流体チャンバ３２２内に配置され、それを通って（半径方向に）延在し得る第１のセグメント３６４を含んでもよい。支持体の第１のセグメント３６４は、内壁３１２に隣接して配置され、それから分離され、および／またはそれに取り囲まれてもよい。支持体３６２はまた、高圧流体チャンバ３２２内に配置された少なくとも１つの別個のまたは第２のセグメント３６６を含んでもよい。第２のセグメント３６６は、ＨＧＰ構成要素３００Ａ、３００Ｂの第１のセグメント３６４と内壁３１２との間に延在してもよい。具体的には、支持体３６２の第２セグメント３６６は、内壁３１２の間に延在し、それと接触し、および／またはそれと結合、固定または一体に形成されて、ＨＧＰ構成要素３００Ａ、３００Ｂの内壁３１２に支持体３６２の第１のセグメント３６４を結合および／または接合してもよい。
【０１２２】
非限定的な例では、支持体３６２は、ＨＧＰ構成要素３００Ａ、３００Ｂの本体３０２と一体に形成されてもよい。さらに具体的には、第１のセグメント３６４および第２のセグメント３６６を含む支持体３６２は、内壁３１２を含む本体３０２と一体に形成されてもよい。本明細書で説明するように、任意の好適な付加製造プロセスおよび／または方法を使用して、ＨＧＰ構成要素３００Ａ、３００Ｂの単一本体３０２を形成する際に、本体３０２／内壁３１２とともに支持体３６２が形成されてもよい。あるいは、セグメントのうちの１つのみ（例えば、第１のセグメント３６４）がＨＧＰ構成要素３００Ａ、３００Ｂの本体３０２／内壁３１２と一体に形成されても、支持体３６２のいかなる部分もＨＧＰ構成要素３００Ａ、３００Ｂの本体３０２／内壁３１２と一体に形成されなくてもよい。これらの非限定的な例では、本体３０２と一体に形成されないセグメントは、限定するものではないが、フライス加工、旋削加工、切削加工、鋳造、成形、穿孔などを含む任意の好適な製造プロセスを使用して個々におよび／または別個に形成されてもよい。さらに、別個に形成されたセグメント３６４、３６６、または代替的に支持体３６２の全体は、互いに接合、結合および／または固定され、続いて、限定するものではないが、溶接、締結、溶融、焼結、ろう付けなどを含む任意の好適な接合プロセスまたは技術を使用して、ＨＧＰ構成要素３００Ａ、３００Ｂの本体３０２／内壁３１２に接合、結合および／または固定されてもよい。
【０１２３】
さらに、図１９に示すように、ＨＧＰ構成要素３００Ａ、３００Ｂはまた、少なくとも１つの支持ピン３６８を含んでもよい。非限定的な例では、複数の支持ピン３６８は、内壁３１２と中間壁３１８との間に配置され、および／または延在し、低圧流体チャンバ３２４内に配置されてもよい。さらに、複数の支持ピン３６８のそれぞれはまた、ＨＧＰ構成要素３００Ａ、３００Ｂのそれぞれ内壁３１２および中間壁３１８と接触し、および／またはそれと結合、固定または一体に形成されてもよい。支持体３６２と同様に、ＨＧＰ構成要素３００Ａ、３００Ｂ内に複数の支持ピン３６８を含めることにより、ＨＧＰ構成要素３００Ａ、３００Ｂの内壁３１２および中間壁３１８に追加のまたは改善された支持、構造および／または剛性を提供してもよく、ガスタービンシステム１０の動作中のＨＧＰ構成要素３００Ａ、３００Ｂの振動を実質的に防止してもよい。本明細書で説明するように、ＨＧＰ構成要素３００Ａ、３００Ｂの部分に支持、構造および／または剛性を提供することに加えて、低圧流体チャンバ３２４内に配置された複数の支持ピン３６８はまた、ガスタービンシステム１０の動作中にＨＧＰ構成要素３００Ａ、３００Ｂ（図１６を参照）の熱伝達および／または冷却を支援してもよい。本明細書で説明するように、非限定的な例では、複数の支持ピン３６８は、任意の好適な付加製造プロセスおよび／または方法を使用してＨＧＰ構成要素３００Ａ、３００Ｂの単一本体３０２を形成する際に、内壁３１２および／または中間壁３１８と一体に形成されてもよい。あるいは、支持ピン３６８は、任意の好適な製造プロセスを使用して個々におよび／または別個に形成されてもよく、続いて、任意の好適な接合プロセスまたは技術を使用してＨＧＰ構成要素３００Ａ、３００Ｂの内壁３１２および中間壁３１８に接合、結合および／または固定されてもよい。
【０１２４】
図１９に示すように、後縁３０６に隣接して形成された別個の冷却構成は、支持体３６２および複数の支持ピン３６８を含まなくてもよい。すなわち、支持体３６２は、高圧流体チャンバ３２２内にのみ配置され、および／またはそれを通って延在してもよい。他の非限定的な例では、ＨＧＰ構成要素３００Ａ、３００Ｂは、あらゆる冷却構成（例えば、高圧流体チャンバ３２２を含む前縁冷却構成および高圧流体チャンバ３４８を含む後縁冷却構成）で支持体３６２および／または複数の支持ピン３６８を含んでもよい。
【０１２５】
ＨＧＰ構成要素３００Ａ、３００Ｂは、内壁３１２と中間壁３１８との間にのみ形成されるように示されているが、他の部分におよび／または本体３０２の追加の壁間に形成された追加の支持ピン３６８を含んでもよい。図２０に示す非限定的な例では、ＨＧＰ構成要素３００Ａ、３００Ｂは、図１９に関して本明細書で同様に説明するように、内壁３１２と中間壁３１８との間に形成または配置された第１の複数の支持ピン３６８を含んでもよい。さらに、非限定的な例では、ＨＧＰ構成要素３００Ａ、３００Ｂは、中間壁３１８と外壁３２０との間に配置され、および／または延在し、冷却チャネル３２８内に配置された第２の複数の支持ピン３７０を含んでもよい。さらに、第２の複数の支持ピン３７０のそれぞれはまた、ＨＧＰ構成要素３００Ａ、３００Ｂのそれぞれ中間壁３１８および外壁３２０と接触し、および／またはそれと結合、固定または一体に形成されてもよい。第１の複数の支持ピン３６８と同様に、ＨＧＰ構成要素３００Ａ、３００Ｂ内に含まれた第２の複数の支持ピン３７０は、ＨＧＰ構成要素３００Ａ、３００Ｂの中間壁３１８および外壁３２０に追加のまたは改善された支持、構造および／または剛性を提供してもよく、ガスタービンシステム１０の動作中のＨＧＰ構成要素３００Ａ、３００Ｂの振動を実質的に防止してもよい。本明細書で説明するように、ＨＧＰ構成要素３００Ａ、３００Ｂの部分に支持、構造および／または剛性を提供することに加えて、冷却チャネル３２８内に配置された第２の複数の支持ピン３７０はまた、ガスタービンシステム１０の動作中にＨＧＰ構成要素３００Ａ、３００Ｂ（図１６を参照）の熱伝達および／または冷却を支援してもよい。
【０１２６】
また、第１の複数の支持ピン３６８と同様に、本明細書で説明するように、第２の複数の支持ピン３７０は、任意の好適な付加製造プロセスおよび／または方法を使用してＨＧＰ構成要素３００Ａ、３００Ｂの単一本体３０２を形成する際に、中間壁３１８および／または外壁３２０と一体に形成されてもよい。あるいは、支持ピン３７０は、任意の好適な製造プロセスを使用して個々におよび／または別個に形成されてもよく、続いて、任意の好適な接合プロセスまたは技術を使用してＨＧＰ構成要素３００Ａ、３００Ｂの中間壁３１８および／または外壁３２０に接合、結合および／または固定されてもよい。
【０１２７】
図１９および図２０に示すように、ＨＧＰ構成要素３００Ａ、３００Ｂ内に配置または形成された支持ピン３６８、３７０のサイズ、形状および／または数は、単なる例示である。したがって、ＨＧＰ構成要素３００Ａ、３００Ｂは、さらに大きなまたはさらに小さな支持ピン３６８、３７０、様々なサイズの支持ピン３６８、３７０を含み得、および／またはその中に形成されたさらに多くのまたはさらに少ない支持ピン３６８、３７０を含み得る。ＨＧＰ構成要素３００Ａ、３００Ｂに形成された支持ピン３６８、３７０のサイズ、形状および／または数は、動作中のガスタービンシステム１０の動作特性（例えば、曝露温度、曝露圧力、タービンケーシング３６内の位置など）に少なくとも部分的に依存し得る。さらに、または代替として、ＨＧＰ構成要素３００Ａ、３００Ｂに形成された支持ピン３６８、３７０のサイズ、形状および／または数は、ＨＧＰ構成要素３００Ａ、３００Ｂの特性（例えば、内壁３１２／中間壁３１８／外壁３２０の厚さ、チャンバ３２２、３２４の体積、冷却チャネル３２８の体積など）に少なくとも部分的に依存し得る。
【０１２８】
図２１は、ＨＧＰ構成要素３００Ａ、３００Ｂの別の非限定的な例の上面断面図を示す。図２１に示すＨＧＰ構成要素３００Ａ、３００Ｂの非限定的な例は、本明細書で説明される他の非限定的な例とは異なる特徴および／または構成要素を含んでもよい。同様の符号および／または名称を付した構成要素は、実質的に同様の様式で機能し得ることが理解される。これらの構成要素の冗長な説明は、明確化のために省略されている。
【０１２９】
例えば、本明細書で説明するように、ＨＧＰ構成要素３００Ａ、３００Ｂは、単一本体３０２から形成されなくてもよい。むしろ、ＨＧＰ構成要素３００Ａ、３００Ｂは、様々な別個の部品から形成されてもよい。さらに具体的には、ＨＧＰ構成要素３００Ａ、３００Ｂの内壁３１２および中間壁３１８は、別個の部品から形成されてもよく、および／またはＨＧＰ構成要素３００Ａ、３００Ｂの外壁３２０とは別個に形成されてもよい。図２１に示す非限定的な例では、内壁３１２および中間壁３１８は、外壁３２０と個々におよび／または別個に形成されてもよく、本体３０２または外壁３２０に統合され、続いて接合、結合および／または固定されて、ＨＧＰ構成要素３００Ａ、３００Ｂを形成してもよい。内壁３１２および中間壁３１８は、ＨＧＰ構成要素３００Ａ、３００Ｂおよび／またはブレード３８の様々な部分、例えばプラットフォーム４７または先端部分４８に接合、結合および／または固定されてもよい。別の非限定的な例では、図２０に関して本明細書で同様に説明するように、内壁３１２は、第１の複数の支持ピン３６８（仮想線で示される）を介して中間壁３１８に結合されてもよく、および／または中間壁３１８は、（仮想線で示される）第２の複数の支持ピン３７０を介して外壁３２０に結合されてもよい。本明細書で説明するように、別個の部分の内壁３１２および中間壁３１８を含め、それらを本体３０２または外壁３２０と接合することにより、高圧流体チャンバ３２２、低圧流体チャンバ３２４および冷却チャネル３２８を形成および画定してもよい。
【０１３０】
図２１に示す非限定的な例では、内壁３１２および中間壁３１８は、ＨＧＰ構成要素３００Ａ、３００Ｂの外壁３２０とは異なる材料から形成されてもよい。例えば、内壁３１２および中間壁３１８は、材料物性および／または特性（例えば、融点、熱伝達特性、硬度、延性など）の第１のセットを有する第１の金属または合金から形成されてもよく、外壁３２０は、材料物性および／または特性の第２のセットを有する第２の金属または合金から形成されてもよい。あるいは、内壁３１２、中間壁３１８および外壁３２０のそれぞれは、別個の材料から形成されてもよく、各材料は固有の材料物性および／または特性を有する。別の非限定的な例では、内壁３１２、中間壁３１８および外壁３２０は、同一の材料から形成され得るが、依然として個々におよび／または別個に形成され得る。内壁３１２、中間壁３１８および外壁３２０のそれぞれは、限定するものではないが、付加製造、フライス加工、旋削加工、切削加工、鋳造、成形、穿孔などを含む任意の好適な製造プロセスを使用して個々におよび／または別個にそれぞれ形成されてもよい。さらに、内壁３１２、中間壁３１８および外壁３２０は、限定するものではないが、溶接、締結、溶融、焼結、ろう付けなどを含む任意の好適な接合プロセスまたは技術を使用して、ＨＧＰ構成要素３００Ａ、３００Ｂを形成するために互いに接合、結合および／または固定されてもよい。
【０１３１】
図２〜図２１に関して本明細書で説明するように、支持体１０２、２０２および／またはＨＧＰ構成要素１００、２００、３００Ａ、３００Ｂを利用することにより、ガスタービンシステム１０のタービン２８は、タービン２８内に見られるＨＰＦおよびＬＰＦの両方を利用してＨＧＰ構成要素１００、２００、３００Ａ、３００Ｂを冷却してもよい。さらに、ＨＧＰ構成要素１００、２００、３００Ａ、３００Ｂを冷却するために使用され得るＨＰＦとＬＰＦとの比率は、ＨＰＦよりも多量のＬＰＦを含み得る。
【０１３２】
高温ガス経路（ＨＧＰ）構成要素１００、２００および支持体１０２、２０２（それぞれ図２〜図１５を参照）、ならびにＨＧＰ構成要素３００Ａ、３００Ｂ、またはタービン２８の翼形部４２、４６（図１６〜図２１を参照）は、いくつかの方法で形成されてもよい。一実施形態では、ＨＧＰ構成要素１００、２００、３００Ａ、３００Ｂおよび／または支持体１０２、２０２は、鋳造によって作製され得る。しかし、本明細書で述べたように、付加製造は、単一本体１１０、支持体１０２、２０２を含むＨＧＰ構成要素１００、２００、および単一本体３０２を含むＨＧＰ構成要素３００Ａ、３００Ｂの製造に特に適している。本明細書で使用する場合、付加製造（ＡＭ）は、従来のプロセスで行う材料の除去ではなく、材料の連続した層形成を通して物体を生成する任意のプロセスを含んでもよい。付加製造では、あらゆる種類の工具、金型または器具を使用することなく、かつ廃棄材料をほとんどまたは全く発生させずに複雑な幾何学的形状を作成することができる。その多くは切り取られ廃棄されることになるプラスチックまたは金属の固体ビレットから構成要素を機械加工する代わりに、付加製造に使用される材料は、部品を成形するために必要とされる材料のみである。付加製造プロセスは、限定するものではないが、３Ｄ印刷、ラピッドプロトタイピング（ＲＰ）、直接デジタル製造（ＤＤＭ）、バインダジェッティング、選択的レーザ溶融（ＳＬＭ）および直接金属レーザ溶融（ＤＭＬＭ）を含んでもよい。現在の設定では、ＤＭＬＭまたはＳＬＭが有利であることがわかっている。
【０１３３】
付加製造プロセスの例を説明するために、図２２は、物体９０２を生成するための例示のコンピュータ化された付加製造システム９００の概略／ブロック図を示す。この例では、システム９００は、ＤＭＬＭ用に構成される。本開示の一般的な教示は、他の形態の付加製造に同様に適用可能であることが理解される。物体９０２は、翼形部４２、４６またはＨＧＰ構成要素３００Ａ、３００Ｂ（図１２〜図１７を参照）として示されているが、ＨＧＰ構成要素１００（図２〜図１３を参照）および／またはＨＧＰ構成要素２００（図１４および図１５を参照）も含み得る。ＡＭシステム９００は、一般に、コンピュータ化された付加製造（ＡＭ）制御システム９０４と、ＡＭプリンタ９０６とを含む。ＡＭシステム９００は、説明するように、ＡＭプリンタ９０６を使用して物体９０２を物理的に生成するために翼形部４２、４６を定義する一組のコンピュータ実行可能命令を含むコード９２０を実行する。各ＡＭプロセスは、例えば、細粒粉末、液体（例えば、ポリマー）、シートなどの形態の様々な原材料を使用してもよく、そのストックは、ＡＭプリンタ９０６のチャンバ９１０に保持されてもよい。この場合、翼形部４２、４６は、ガスタービンシステム１０（図１を参照）の環境に耐えることができる金属または金属化合物から作製されてもよい。図示されているように、アプリケータ９１２は、空白キャンバスとして広がる原材料９１４の薄層を作成してもよく、これから最終物体の各連続スライスが作成される。他の場合では、アプリケータ９１２は、例えば金属バインダジェッティングプロセスが使用される場合、コード９２０によって定義されるように先の層上に次の層を直接適用または印刷してもよい。示されている例では、レーザまたは電子ビーム９１６は、コード９２０によって定義されるように、各スライスの粒子を融合するが、これは迅速に硬化する液体プラスチック／ポリマーが採用される場合には必要ではない。ＡＭプリンタ９０６の様々な部品は、各新しい層の追加に対応するように移動してもよく、例えば、各層の後で、構築プラットフォーム９１８は降下してもよく、および／またはチャンバ９１０および／またはアプリケータ９１２が上昇してもよい。
【０１３４】
ＡＭ制御システム９０４は、コンピュータプログラムコードとしてコンピュータ９３０に実装されて示されている。この点に関して、コンピュータ９３０は、メモリ９３２と、プロセッサ９３４と、入力／出力（Ｉ／Ｏ）インターフェース９３６と、バス９３８とを含むものとして示されている。さらに、コンピュータ９３０は、外部Ｉ／Ｏデバイス／リソース９４０および記憶システム９４２と通信するように示されている。一般に、プロセッサ９３４は、本明細書に記載のＨＧＰ構成要素１００を表すコード９２０からの命令の下で、メモリ９３２および／または記憶システム９４２に記憶されるＡＭ制御システム９０４などのコンピュータプログラムコードを実行する。コンピュータプログラムコードの実行時に、プロセッサ９３４は、メモリ９３２、記憶システム９４２、Ｉ／Ｏデバイス９４０および／またはＡＭプリンタ９０６からデータを読み出すことおよび／またはこれらにデータを書き込むことができる。バス９３８は、コンピュータ９３０の構成要素のそれぞれの間の通信リンクを供給し、Ｉ／Ｏデバイス９４０は、ユーザがコンピュータと対話できるようにする任意のデバイス（例えば、キーボード、ポインティングデバイス、ディスプレイなど）を備えることができる。コンピュータ９３０は、ハードウェアおよびソフトウェアの考えられる様々な組合せの代表に過ぎない。例えば、プロセッサ９３４は、単一の処理ユニットを備えてもよいか、例えばクライアントおよびサーバ上など、１つ以上の場所の１つ以上の処理ユニットに分散していてもよい。同様に、メモリ９３２および／または記憶システム９４２は、１つ以上の物理的な場所に存在していてもよい。メモリ９３２および／または記憶システム９４２は、磁気媒体、光学媒体、ランダムアクセスメモリ（ＲＡＭ）、読み出し専用メモリ（ＲＯＭ）などを含む様々な種類の非一時的コンピュータ可読記憶媒体の任意の組合せを備えることができる。コンピュータ９３０は、ネットワークサーバ、デスクトップコンピュータ、ラップトップ、携帯デバイス、携帯電話機、ポケットベル、携帯情報端末などの任意の種類のコンピューティングデバイスを備えることができる。
【０１３５】
付加製造プロセスは、非一時的コンピュータ可読記憶媒体（例えば、メモリ９３２、記憶システム９４２など）にＨＧＰ構成要素１００を表すコード９２０を記憶することによって始まる。前述のように、コード９２０は、外側電極を定義する一組のコンピュータ実行可能命令を含み、これはシステム９００によるコードの実行時に、先端を物理的に生成するために使用することができる。例えば、コード９２０は、ＨＧＰ構成要素１００の正確に定義された３Ｄモデルを含んでもよく、ＡｕｔｏＣＡＤ（登録商標）、ＴｕｒｂｏＣＡＤ（登録商標）、ＤｅｓｉｇｎＣＡＤ  ３Ｄ  Ｍａｘなどの多様な周知のコンピュータ支援設計（ＣＡＤ）ソフトウェアシステムのいずれかから生成することができる。この点に関し、コード９２０は、任意の現在知られているまたは後に開発されるファイルフォーマットとすることができる。例えば、コード９２０は、３ＤシステムのステレオリソグラフィＣＡＤプログラム用に生成された標準テッセレーション言語（ＳＴＬ）、または付加製造ファイル（ＡＭＦ）によるものであってよく、付加製造ファイル（ＡＭＦ）は、アメリカ機械学会（ＡＳＭＥ）規格であり、これは実行可能なマークアップ言語（ＸＭＬ）ベースのフォーマットであり、任意のＣＡＤソフトウェアが、ＡＭプリンタで製造されることになる任意の三次元物体の形状および構成を表現することができるように設計されている。コード９２０は、必要に応じて、異なるフォーマット間で変換すること、一組のデータ信号に変換すること、一組のデータ信号として送受信し、コードに変換し記憶することなどが可能である。コード９２０は、システム９００への入力であってよく、部品設計者、知的財産（ＩＰ）プロバイダ、設計会社、システム９００のオペレータもしくは所有者から、または他のソースからもたらされてもよい。いずれにしても、ＡＭ制御システム９０４は、コード９２０を実行して、ＨＧＰ構成要素１００を連続した薄いスライスに分割し、ＨＧＰ構成要素１００は、液体、粉末、シートまたは他の材料の連続した層でＡＭプリンタ９０６を使用して組み立てられる。ＤＭＬＭの例では、各層は、コード９２０によって定義された正確な幾何学的形状に溶融されて先行の層に融合される。その後、翼形部４２、４６は、任意の様々な仕上げプロセス、例えば、再輪郭加工または他の小規模の機械加工、シーリング、研磨などのための本明細書に記載される仕上げプロセスを受けてもよい。
【０１３６】
本開示の技術的効果には、例えば、その中に形成された複数のノズルおよびベンチュリを含むタービンブレードおよび／またはステータベーン翼形部を提供することが含まれる。翼形部の本体（付加製造を使用して形成された）により、ノズル／ベンチュリの様々な層を形成し、構成要素の冷却に低圧流体を利用することが可能になる。これにより、翼形部を冷却するために必要な流体の量が減少し、ひいては、タービンシステム内の燃料消費量および／または発熱率が減少する。
【０１３７】
本明細書で使用される専門用語は、単に特定の実施形態を説明するためのものに過ぎず、本開示を限定するものではない。本明細書で使用する場合、単数形「１つの（ａ）」、「１つの（ａｎ）」および「この（ｔｈｅ）」は、特に明示しない限り、複数形も含むことが意図される。用語「備える（ｃｏｍｐｒｉｓｅ）」および／または「備えている（ｃｏｍｐｒｉｓｉｎｇ）」は、本明細書で使用する場合、記載した特徴、整数、工程、動作、要素および／または構成要素が存在することを明示するが、１つ以上の他の特徴、整数、工程、動作、要素、構成要素および／またはそれらの群が存在することまたは追加されることを除外しないことが、さらに理解されよう。「任意の（ｏｐｔｉｏｎａｌ）」または「任意に（ｏｐｔｉｏｎａｌｌｙ）」は、続いて記載された事象または状況が生じてもよいし、また生じなくてもよいことを意味し、かつ、その説明が、事象が起こる場合と、それが起こらない場合とを含むことを意味する。
【０１３８】
本明細書および特許請求の範囲を通してここで使用される近似する文言は、関連する基本的機能に変化をもたらすことなく、差し支えない程度に変動し得る任意の量的表現を修飾するために適用することができる。したがって、「およそ（ａｂｏｕｔ）」、「約（ａｐｐｒｏｘｉｍａｔｅｌｙ）」および「実質的に（ｓｕｂｓｔａｎｔｉａｌｌｙ）」などの用語により修飾された値は、明記された厳密な値に限定されるものではない。少なくともいくつかの例では、近似する文言は、値を測定するための機器の精度に対応し得る。ここで、ならびに本明細書および特許請求の範囲を通して、範囲の限定を組み合わせたり、および／または置き換えたりすることが可能であり、文脈および文言が特に指示しない限り、このような範囲は特定され、それらに包含されるすべての部分範囲を含む。範囲の特定の値に適用される「約（ａｐｐｒｏｘｉｍａｔｅｌｙ）」は、両方の値に適用され、また値を測定する機器の精度に特に依存しない限り、記載された値の＋／−１０％を示し得る。
【０１３９】
添付の特許請求の範囲におけるミーンズプラスファンクションまたはステッププラスファンクションの要素すべての、対応する構造、材料、動作および均等物は、具体的に請求された他の請求要素と組み合わせてその機能を遂行するための、一切の構造、材料または動作を包含することが意図されている。本開示の記述は、例示および説明の目的で提示されたもので、網羅的であることも、または本開示を開示した形態に限定することも意図していない。当業者には、本開示の範囲および趣旨から逸脱することなく多くの変更および変形が明らかであろう。本開示の原理および実際の応用を最良に説明し、想定される特定の用途に適するように様々な変更を伴う様々な実施形態の開示を他の当業者が理解できるようにするために、本実施形態を選択し、かつ説明した。
【符号の説明】
【０１４０】
１０  ガスタービンシステム
１２  圧縮機
１８  空気
２０  圧縮空気
２２  燃焼器
２４  燃料
２６  燃焼ガス
２８  タービン
３０  ロータ
３２  外部負荷
３４  排気フレーム
３６  ケーシング
３８  タービンブレード
４０  ステータベーン
４２  翼形部
４６  翼形部
４７  プラットフォーム
４８  先端部分
５０  領域
５２  領域
１００  ＨＧＰ構成要素
１０２  支持体
１０４  高圧流体チャンバ
１０６  高圧供給導管
１０８  低圧供給導管
１１０  単一本体
１１２  第１のフック
１１８  第２のフック
１２０  前端
１２２  後端
１２４  第１の側面
１２６  第２の側面
１２８  外面
１３０  内面
１３２  内側部分
１３４  外側部分
１３６  中間部分
１３８  低圧流体チャネル
１４０  開口
１４２  冷却チャネル
１４４  排出孔
１４５  排出孔
１４６  ノズル
１４８  ベンチュリ
１５０  区画
１５２  ディフューザ
１５４  端部
１５６  支持ピン
１５７  第１の部分
１５８  第２の部分
１５９  上部プレート
１６０  高圧流体チャネル
１６２  開口
１６４  低圧流体チャンバ
１６６  低圧入口
２００  ＨＧＰ構成要素
２００Ａ  外側プラットフォーム、ＨＧＰ構成要素
２００Ｂ  内側プラットフォーム、ＨＧＰ構成要素
２０２  支持体
２０６  高圧供給導管
２０８  低圧供給導管
２１０  単一本体
２２０  前端
２２２  後端
２２８  外面
２３０  内面
２３２  内側部分
２３４  外側部分、外側プレート
２３６  中間部分、中間プレート
２３８  低圧流体チャネル
２４２  冷却チャネル
２４４  排出孔
２４５  排出孔
２４６  ノズル
２４８  ベンチュリ
２５９  上部プレート
２６０  高圧流体チャネル
３００Ａ  ＨＧＰ構成要素
３００Ｂ  ＨＧＰ構成要素
３０２  単一本体
３０４  前縁
３０６  後縁
３０８  正圧面
３１０  負圧面
３１２  内壁
３１８  中間壁
３２０  外壁
３２２  高圧流体チャンバ
３２４  低圧流体チャンバ
３２６  外面
３２８  冷却チャネル
３３０  高圧ノズル
３３２  低圧ベンチュリ
３３４  区画
３３６  ディフューザ
３３８  端部
３４０  第１の冷却孔
３４２  第２の冷却孔
３４４  内壁
３４６  中間壁
３４８  高圧流体チャンバ
３５０  低圧流体チャンバ
３５２  冷却チャネル
３５４  冷却孔
３５６  冷却孔
３５８  後縁冷却孔
３６０  仕切壁
３６２  支持体
３６４  第１のセグメント
３６６  第２のセグメント
３６８  支持ピン
３７０  支持ピン
９００  付加製造システム
９０２  物体
９０４  ＡＭ制御システム
９０６  ＡＭプリンタ
９１０  チャンバ
９１２  アプリケータ
９１４  原材料
９１８  構築プラットフォーム
９２０  コード
９３０  コンピュータ
９３２  メモリ
９３４  プロセッサ
９３６  入力／出力（Ｉ／Ｏ）インターフェース
９３８  バス
９４０  Ｉ／Ｏデバイス
９４２  記憶システム
【図１】
2020097931.tif 000003
【図２】
2020097931.tif 000004
【図３】
2020097931.tif 000005
【図４】
2020097931.tif 000006
【図５】
2020097931.tif 000007
【図６】
2020097931.tif 000008
【図７】
2020097931.tif 000009
【図８】
2020097931.tif 000010
【図９】
2020097931.tif 000011
【図１０】
2020097931.tif 000012
【図１１】
2020097931.tif 000013
【図１２】
2020097931.tif 000014
【図１３】
2020097931.tif 000015
【図１４】
2020097931.tif 000016
【図１５】
2020097931.tif 000017
【図１６】
2020097931.tif 000018
【図１７】
2020097931.tif 000019
【図１８】
2020097931.tif 000020
【図１９】
2020097931.tif 000021
【図２０】
2020097931.tif 000022
【図２１】
2020097931.tif 000023
【図２２】
2020097931.tif 000024
【外国語明細書】
2020097931000001.pdf
2020097931000002.pdf
2020097931000003.pdf
2020097931000004.pdf